(57)【特許請求の範囲】
【請求項１】
第１部材と第２部材を結合してなる構造体を配設した遊技機において、
第１部材および第２部材にそれぞれ設けられ第１部材と第２部材の結合位置において互いに連結する第１封印形成部および第２封印形成部と、第１部材と第２部材の結合状態において前記第１封印形成部および第２封印形成部をカバーするカバー部材とを有し、
該カバー部材には封印連結部を備え、
前記第１封印形成部および第２封印形成部はそれぞれ封印係止部を備え、
第１部材と第２部材の結合途中において前記第１封印形成部と第２封印形成材が所定の組み合わせ形態となって前記カバー部材を被せ可能となり、第１部材と第２部材の結合完了位置までの間に前記第１封印形成部と第２封印形成部の組み合わせ形態が変化してその封印係止部がカバー部材の前記封印連結部と係止するように構成されて、
第１部材と第２部材の結合状態において前記カバー部材を取外し不能とした封印構造を形成していることを特徴とする遊技機。
【請求項２】
前記第１封印形成部の封印係止部は第２部材側へ延び、前記第２封印形成部の封印係止部は第１部材側へ延びており、
前記所定の組み合わせ形態は、前記第１封印形成部および第２封印形成部を包絡する輪郭が前記カバー部材を通過可能な状態であり、
前記第１部材と第２部材の結合途中で第１封印形成部および第２封印形成部がすべて前記カバー部材内に収容され、
第１部材と第２部材の結合状態において、前記封印係止部が前記所定の組み合わせ形態における前記輪郭よりも張り出して前記封印連結部と係止することを特徴とする請求項１に記載の遊技機。
【請求項３】
前記カバー部材は、頭部と、頭部の底壁に接続して内部空間が連通する筒部とからなり、該筒部から前記第１封印形成部および第２封印形成部に被せるものであり、
前記封印連結部が前記底壁であることを特徴とする請求項２に記載の遊技機。
【請求項４】
前記第１封印形成部は第１連結係止部を備え、第２封印形成部は第２連結係止部を備えて、前記第１封印形成部と第２封印形成部は前記第１連結係止部と第２連結係止部が互いに係止することにより第１部材と第２部材の結合位置において連結するものであり、
前記第１封印形成部の封印係止部と第１連結係止部は互いに独立して設けられ、前記第２封印形成部の封印係止部と第２連結係止部は互いに独立して設けられていることを特徴とする請求項１から３のいずれか１に記載の遊技機。
【請求項５】
前記第１封印形成部は第１連結係止部を備え、第２封印形成部は第２連結係止部を備えて、前記第１封印形成部と第２封印形成部は前記第１連結係止部と第２連結係止部が互いに係止することにより第１部材と第２部材の結合位置において連結するものであり、
前記第１封印形成部の封印係止部と第１連結係止部は兼用部材として設けられ、前記第２封印形成部の封印係止部と第２連結係止部は兼用部材として設けられていることを特徴とする請求項１から３のいずれか１に記載の遊技機。
【請求項６】
第１部材と第２部材は前記第１封印形成部と第２封印形成部を対向方向に移動させて結合するものであり、前記カバー部材は前記第１封印形成部と第２封印形成部の対向方向を横切る方向から当該第１封印形成部および第２封印形成部に被せるものであることを特徴とする請求項１から５のいずれか１に記載の遊技機。
【発明の詳細な説明】
【技術分野】
【０００１】
本発明は、スロットマシンその他の遊技機に関する。
【背景技術】
【０００２】
例えば遊技機のスロットマシンにおいては、筐体が、正面側に開口部をもつ箱形状の筐体本体と、その開口部を閉じ表側が演出表示面や操作レバー等を備える遊技面となっている前面扉とから構成される。前面扉には表示窓が設けられ、筐体本体内には表示窓から視認可能にリールが設置され、その駆動機構や電源等も筐体本体内に設置されている。さらに遊技内容や演出処理を電子的に制御する制御基板が、リール等とともに筐体本体内に設置される。
【０００３】
制御基板には遊技内容のプログラムや大当たりの発生条件等を規定するデータを記憶するメモリも実装されているため、そのメモリあるいは制御基板全部を交換したり、別途のメモリ追加や変更を加えることにより、大当たりを頻発させコインを大量に獲得するというような不正行為が問題となる。
このため、筐体本体側と協働して前面扉を閉鎖し施錠状態とする施錠機構が設けられているが、これだけでは不正行為の防止には不十分で、施錠状態を破って制御基板に不正な変更等を加える事例が頻発している。
【０００４】
そこで、制御基板を収納した基板ボックス自体についてもこれを封印する技術が例えば特開２００７−２７５６５５号公報に提案されている。
これはワンウェイネジを用いて封印するものである。ワンウェイネジは回転の一方向にはドライバが引っ掛かる当接面部と、逆方向にはドライバが滑る凹部とからなるネジ溝を有しており、通常のマイナスドライバなどでは緩め方向に回すことが困難となっている。
すなわち、このようなワンウェイネジを用いて基板ボックスの本体と蓋体とを非可逆的な固着状態とすることにより、基板ボックスを不正に開いたり正規外の回路基板を備えた複製品の基板ボックスにすり替えることを防止しようとするものである。
【先行技術文献】
【特許文献】
【０００５】
【特許文献１】特開２００７−２７５６５５号公報
【発明の概要】
【発明が解決しようとする課題】
【０００６】
しかしながら、上記従来の封印構造では、ネジにより基板ボックスの本体と蓋体とを連結しているため、ワンウェイネジであっても適宜の工具等を用いて強引に回転させて取り外すとその連結が解除となってしまい、本体と蓋体のいずれにも何らの損傷を与えないで基板ボックスを開くことが可能となるという問題がある。
このような問題は基板ボックスに限らず、封印を必要とする構造体全般に共通するもので、不正開放防止効果の更なる向上が求められている。
【０００７】
したがって本発明は、上記の例示した問題等に鑑み、不正行為を効果的に防止することができるようにした遊技機を提供することを目的とする。
【課題を解決するための手段】
【０００８】
本発明は、第１部材と第２部材を結合してなる構造体を配設した遊技機において、第１部材および第２部材にそれぞれ設けられ第１部材と第２部材の結合位置において互いに連結する第１封印形成部および第２封印形成部と、第１部材と第２部材の結合状態において第１封印形成部および第２封印形成部をカバーするカバー部材とを有し、
該カバー部材には封印連結部を備え、
第１封印形成部および第２封印形成部はそれぞれ封印係止部を備え、
第１部材と第２部材の結合途中において第１封印形成部と第２封印形成部が所定の組み合わせ形態となってカバー部材を被せ可能となり、第１部材と第２部材の結合完了位置までの間に第１封印形成部と第２封印形成部の組み合わせ形態が変化してその封印係止部がカバー部材の封印連結部と係止するように構成されて、第１部材と第２部材の結合状態においてカバー部材を取外し不能とした封印構造を形成しているものとした。
第１部材と第２部材の結合完了状態において封印連結部と封印係止部とが係止してカバー部材が取外し不能となるので、第１封印形成部と第２封印形成部の連結部分へのアクセスが阻止される。
【発明の効果】
【０００９】
本発明によれば不正行為を効果的に防止することができるようにした遊技機を提供することができる。
【図面の簡単な説明】
【００１０】
【図１】本発明が適用されるスロットマシンの全体斜視図である。
【図２】前面扉を取外して示すスロットマシン内部の正面図である。
【図３】主基板ユニットの正面図である。
【図４】主基板ユニットの側面図である。
【図５】台座装置の分解斜視図である。
【図６】固定ベース部の裏面を示す斜視図である。
【図７】回動軸部端部の構成を示す断面図である。
【図８】可動ベース部における窓孔まわりの構成を示す断面図である。
【図９】主制御装置の分解斜視図である。
【図１０】第１ボックスと第２ボックスのレール形成部を示す図である。
【図１１】第１ボックスの裏面を示す。
【図１２】アッパブラケットの構造を示す図である。
【図１３】アッパブラケットの構造を示す図である。
【図１４】ロアブラケットの構造を示す図である。
【図１５】ロアブラケットの構造を示す図である。
【図１６】封印キャップの構造を示す図である。
【図１７】封印キャップの構造を示す図である。
【図１８】封印キャップの構造を示す図である。
【図１９】第１封印部の封印手順を示す図である。
【図２０】第１封印部の封印手順を示す図である。
【図２１】第１ボックスの第２封印形成部を示す図である。
【図２２】封印ピンを示す外観斜視図である。
【図２３】第１ピンを示す図である。
【図２４】第２ピンを示す図である。
【図２５】第２封印部の封印過程を示す図である。
【図２６】第１ボックスの第３封印形成部を示す図である。
【図２７】第２ボックスの第３封印形成部を示す図である。
【図２８】第３の封印部の封印結合構造を示す図である。
【図２９】第１封印部の変形例を示す図である。
【図３０】第２の実施例にかかる基板ボックスの外観斜視図である。
【図３１】基板ボックスを示す図である。
【図３２】第１ボックスの封印形成部を示す図である。
【図３３】第２ボックスの封印形成部を示す図である。
【図３４】封印キャップを示す図である。
【図３５】封印手順を示す図である。
【図３６】封印キャップを除去して封印状態の封印形成部を示す斜視図である。
【図３７】変形例の第１ボックスの封印形成部を示す図である。
【図３８】変形例の第２ボックスの封印形成部を示す図である。
【図３９】変形例の封印キャップを示す図である。
【図４０】変形例の封印手順を示す図である。
【図４１】封印キャップを除去して封印状態の封印形成部を示す斜視図である。
【発明を実施するための形態】
【００１１】
次に本発明をスロットマシンに適用した実施の形態について説明する。
【実施例１】
【００１２】
先ず第１の実施例について説明する。
図１はスロットマシンの全体斜視図、図２は前面扉を取外して示す内部の正面図である。
スロットマシン１の筐体は、正面側が開口する箱形状の筐体本体２と、その開口部を閉じる前面扉３とから構成される。
筐体本体２は、天板２ａ、底板２ｂ、背板２ｃ、左側板２ｄ、右側板２ｅからなる。
前面扉３は、左端側の上下複数カ所がヒンジによって筐体本体２に取り付けられ、ヒンジを軸として水平に揺動し、筐体本体２の開口部を開閉可能となっている。
前面扉３の右端部には、筐体本体２側と協働して前面扉３を閉鎖し施錠状態とする施錠機構４が設けられている。
前面扉３の表側は、複数の表示窓６を備える遊技パネル５、コイン投入口７、各種の操作レバーやボタン、スイッチ類を備える操作部８、コイン受け皿９、その他の演出表示部１０などが設けられた公知の遊技面となっている。これらの詳細は、例えば特開２００８−６１７３９号公報に示される。
【００１３】
筐体本体２の内部は、仕切板２ｆによって上下に２分割されている。
仕切板２ｆの下部には、コインを貯留する貯留タンクとコインを前面扉３のコイン受け皿８へ払い出す払出装置とを備えたホッパ装置１１や、電源ボックス１２が配置されている。
前面扉３のコイン投入口７から投入されたコインはホッパ装置１１に供給され、貯留タンクに貯留されるか、あるいはコイン受け皿９へ排出されるようになっている。
仕切板２ｆの上部には、前面扉３の各表示窓６に対して１対１で対応させて横に並べたリール１４を同一軸線上で回転可能に支持したリールユニット１５が取り付けられている。
リールユニット１５の上方には、スロットマシンの制御を行う主基板ユニット２０が背板２ｃに取付けて設置されている。
【００１４】
以下、主基板ユニット２０の構成について詳細に説明する。
図３は主基板ユニットの正面図、図４は側面図、そして、図５は台座装置の分解斜視図である。
とくに指定しない限り、図３の状態を基準として図中の右側を主基板ユニット２０の右側、図中の左側を主基板ユニット２０の左側とし、図中の手前側を主基板ユニット２０の前側、図中の奥側を主基板ユニット２０の後側として説明する。
主基板ユニット２０は、主制御装置２２と、主制御装置を筐体本体２に支持する台座装置２５とを備えている。主制御装置２２により、遊技内容や演出処理が制御される。
【００１５】
台座装置２５は、筐体本体２の背板２ｃに固定される固定ベース部２６と、固定ベース部２６に支持されて水平に延びる回動中心軸線Ｚを中心として上下に回動し傾倒姿勢をとることが可能な可動ベース部２８とを備えている。
主制御装置２２は可動ベース部２８に保持され、図３、図４に示す保持位置から、回動中心軸線Ｚに直交してこれから離間する方向（上方）にスライドさせることにより、可動ベース部２８から取り外し可能となっている。
【００１６】
主制御装置２２は、後掲の図９に示すように、表裏一対の第１ボックス２００と第２ボックス３００によって構成される横長の矩形状の基板ボックス３０と、この基板ボックス３０内に収容される平板形状の主基板２３とからなっている。
第１ボックス２００と第２ボックス３００は透明または半透明の樹脂で形成される。
主制御装置２２を保持した可動ベース部２８を図４の（ａ）に示す起立姿勢にすることにより、基板ボックス３０が背板２ｃにそって平行になって、内部の主基板２３の表面が筐体本体２の正面側から視認可能となる一方、可動ベース部２８を図４の（ｂ）に示す傾倒姿勢にすることにより、基板ボックス３０も筐体本体２の正面側に傾倒して内部の主基板２３の裏面が視認可能となるように構成されている。
【００１７】
まず、台座装置２５の固定ベース部２６について、とくに図５を参照して説明する。
固定ベース部２６は金属板のプレス成形品で、横長矩形で平坦な底板部４０と、底板部４０の横幅方向（左右方向）両端から後方へオフセットした後に左右外方へ延びる取付フランジ部４２とを有する。
取付フランジ部４２は底板部４０の面と平行で、底板部４０の上下に亘って延びており、背板２ｃに取り付けるためのネジを挿通させる穴４３が形成されている。
【００１８】
底板部４０の横幅方向両端部の上部には、可動ベース部２８の上部を係止することにより可動ベース部２８を起立姿勢位置に保持するための姿勢保持部材５６が取り付けられている。
姿勢保持部材５６は可撓性を有する合成樹脂製で、底板部４０に形成した取付穴に後方から差し込まれて底板部４０の前方へ延び、先端に爪５７を備えている。
底板部４０には、その上端から矩形状に切り欠かれた切欠部４４が形成されている。切欠部４４は姿勢保持部材５６の取り付け位置まで、ほぼ底板部４０の左右方向全幅にわたって延びている。
底板部４０の下部で横幅方向中央にも、後述する可動ベース部２８の裏面から突出する封止ブロック部１００を受け入れる矩形の切欠部６０が形成されている。
【００１９】
図６は固定ベース部２６を背面から見た斜視図である。
切欠部４４の水平な下辺からは、その全幅にわたって、後方へオフセットした後底板部４０の裏面側へ折り返された取付フランジ部４６が延びており、この取付フランジ部４６も背板２ｃへの取り付け部となっている。４７は取付フランジ部４６を背板２ｃに取り付けるためのネジを挿通させる穴である。
取付フランジ部４２と取付フランジ部４６の各オフセット量は同一とされ、取付フランジ部４２と取付フランジ部４６とで固定ベース部２６を背板２ｃに取り付けたとき、底板部４０は背板２ｃと平行になる。
【００２０】
さらに、底板部４０の下部裏面には、金属板のプレス成形品からなる取付フレーム部材４８が取り付けられている。
取付フレーム部材４８は、固定ベース部２６を筐体２の背板２ｃに固定した場合に、底板部４０と背板２ｃとの間に形成される空間部分の一部を埋めるもので、底板部４０から後方へオフセットして取付フランジ部４２および取付フランジ部４６と面一の矩形状の取付面部５０を有する。
後方から見たとき、取付フレーム部材４８は底板部４０の切欠部６０をカバーしている。
【００２１】
取付面部５０の上下左右の各辺からはそれぞれの辺の略全長にわたる脚片５２が底板部４０へ向かって延び、その先端は底板部４０と平行に外方へ折り曲げられた接合部５４（５４ａ、５４ｂ）となって底板部４０に溶接結合されている。
取付面部５０の上辺から延びた脚片の接合部５４ａは、その先端がさらに後方へ折り曲げられて、取付フレーム部材４８自体および底板部４０の剛性を高めている。
【００２２】
取付面部５０の下辺から延びた脚片の接合部５４ｂは、底板部４０の下端まで延びてから先端が後方へ折り曲げられ、底板部４０の下端部と背板２ｃとの間に形成される開口部分を塞ぐ下蓋部５５を形成している。
なお、固定ベース部２６は底板部４０の上端部を筐体本体２の天板２ａに当接させた状態で背板２ｃに固定されるので、底板部４０の上端部と背板２ｃとの間に形成される開口部分は天板２ａによって塞がれるが、必要に応じて底板部４０の上端部にも上蓋部を設けることができる。
【００２３】
取付面部５０の左右両側に離れた２カ所には背板２ｃに固定するためのネジを挿通させる穴６２が設けられている。穴６２は可動ベース部２８の後述する窓孔１０７に対応させてあり、その高さ位置は、可動ベース部２８の回動中心軸線Ｚの近傍となる取付面部５０の下辺寄りとなっている。
【００２４】
図５に戻って、底板部４０の下端は前方へ折り曲げられて、可動ベース部２８を支持するための水平に延びる支持フランジ部６５が形成されている。
支持フランジ部６５はその前縁を上方へ折り曲げてカバーフランジ６７とし、これにより樋状をなしている。支持フランジ部６５の左右両端は、上方に折り曲げられて互いに対向する軸支板部７０、７１となっている。
軸支板部７０、７１は底板部４０の上部に取付けられた左右の姿勢保持部材５６のそれぞれ下方に対応する位置に設定されている。
【００２５】
各軸支板部７０、７１には、互いに同一軸線（回動中心軸線Ｚ）上に位置させた軸孔７３が設けられている。
右側の軸支板部７１には、さらに軸孔７３よりも上方でかつ前方に錠取付穴７５が形成されている。
カバーフランジ６７の左右両端の軸支板部隣接部分は、可動ベース部２８を傾倒させたときその当接部８７と当接する回動ストッパ６８となり、当接したとき可動ベース部２８が所定の傾倒姿勢位置となるように、一段低く切り欠かれている。
【００２６】
支持フランジ部６５の前後方向幅は、可動ベース部２８の下端部の前後方向幅寸法と整合させて、可動ベース部２８を固定ベース部２６に支持した状態で、可動ベース部２８の後述する回動軸部８６とカバーフランジ６７との間に形成される隙間を最小限にしている。
支持フランジ部６５のカバーフランジ６７の高さは、軸孔７３の中心高さよりも高く、回動軸部８６を前方から覆い隠すように設定されている。
これにより、回動軸部８６とカバーフランジ６７との間隙に、バールやスクリュードライバーなどの工具の先端が差し込まれるのを困難にし、回動軸部８６の破壊行為を防ぐ。
【００２７】
つぎに、可動ベース部２８について説明する。
可動ベース部２８は、所定の剛性を有する例えばポリカーボネイトなどの透明な合成樹脂製で、図５に示すように、横長矩形の底板部８０と、底板部８０の下端から表面側（前方）に向かって延びる載置部８２と、底板部８０の左右両端からそれぞれ表面側に向かって延びる側板部８４、８５とを有している。
載置部８２には、後述するように主制御装置２２（基板ボックス３０）を載置する。
載置部８２の前端下面には、円柱形状の回動軸部８６が一体に形成されている。回動軸部８６は側板部８４、８５の間にわたって左右に延びている。
【００２８】
回動軸部８６の左右両端には当該回動軸部の軸心にそって軸孔８８（後掲の図７参照）が形成されている。
載置部８２および回動軸部８６には、側板部８４、８５から内方へ所定距離だけ離間した位置に、軸孔８８の軸心に直交してスリット溝９０が設けられている。後述するように、軸孔８８はスリット溝９０を越えて内側まで延びている。
また、回動軸部８６の両端には、固定ベース部２６の回動ストッパ６８に対応させて、回動軸部８６の径方向外方に延びる当接部８７が設けられ、前述のように、可動ベース部２８を傾倒姿勢位置まで傾倒させた際に、回動ストッパ６８に当接するようになっている。
【００２９】
底板部８０の下部には、横幅（左右）方向中央部にスペースを残して、２つの封止ブロック部１００が形成されている。封止ブロック部１００は、載置部８２上に突出している。
封止ブロック部１００はそれぞれ載置部８２上の前壁１０２と裏面側の後壁１０３（後掲の図２５参照）との間に空間を形成し、下端に開口している。後壁１０３は底板部８０の延長として形成されている。
封止ブロック部１００の載置部８２上に突出した前壁１０２には、後述の封印ピン４００が挿入される２つの係止孔１０４が設けられている。係止孔１０４は上下に切欠き１０５を有している。
なお、封止ブロック部１００内の空間は、２つの係止孔１０４に対応して２区画に分かれている。
【００３０】
底板部８０には、封止ブロック部１００から左右に所定距離離間させて、矩形の窓穴１０７が形成されている。
底板部８０の裏面には、後掲の図８に示すように、窓穴１０７の上側にネジブロック１０８が形成され、ネジブロック１０８の下端を窓穴１０７の上辺に一致させてある。ネジブロック１０８はその下端面に開口するネジ孔１０９を備えている。
【００３１】
側板部８４、８５は、載置部８２と略同一の前後幅で底板部８０の全高さにわたって延びている。
各側板部８４、８５の前端には、上端および下端の一部を除いて所定の横幅（左右方向幅）の返し部１１２が内側に向かって延びており、また側板部８４、８５と底板部８０の接続部には返し部１１２と同一の横幅をもった突条段部１１３が上下に延びている。
これにより、各側板部８４、８５の内壁には返し部１１２と突条段部１１３の間に、主制御装置の基板ボックスをスライドさせる際の一定前後幅のガイド溝１１４が形成される。
側板部８５の上下方向略中央位置には、返し部１１２上から前方へ突出したあと内方（左方）へ延びる固定ブラケット部１１８が設けられ、底板部８０に向かって垂直方向にネジを挿通させる穴１１９が形成されている。
【００３２】
底板部８０の上端部には、横幅（左右方向）中央に、可動ベース部２８に保持された主制御装置２２を係止するための係止部１２０が設けられている。
係止部１２０は主制御装置を可動ベース部２８に装着した際に、基板ボックス３０に設けられた不図示の突起部と係止し、また弾性変形させることにより係止を解くことができるようになっている。
底板部８０上端には係止部１２０を挟む左右両側に、基板ボックス３０の上端部に設けられた後述のスリット溝に係止するため、上方へ延びる突出片１２２が形成されている。
【００３３】
図７は、回動軸部端部の構成を示す断面図である。
各側板部８４、８５の下端部には、回動軸部８６の端面との間にスリット１２６を形成するボス板部１２４、１２５が設けられている。スリット１２６は回動中心軸線Ｚに直交し、このスリット１２６に固定ベース部２６の軸支板部７０、７１が挿入される。
各ボス板部１２４、１２５には、軸孔１２７が回動軸部８６の軸孔８８と同軸上に形成されている。
支持ピン１２８をボス板部１２４の軸孔１２７から、軸支板部７０の軸孔７３を通して、回動軸部８６の軸孔８８に挿入し、また支持ピン１２８をボス板部１２５の軸孔１２７から、軸支板部７１の軸孔７３を通して回動軸部８６の軸孔８８に挿入することにより、可動ベース部２８は固定ベース部２６に対して回動自在に支持される。
【００３４】
この際、支持ピン１２８はボス板部１２４、１２５の軸孔１２７と回動軸部８６の軸孔８８については圧入とされるとともに、支持ピン１２８の頭部はボス板部１２４、１２５の外側端面に形成した凹部１２９内に位置して外側端面から突出しないように設定され、取り付け後の支持ピン１２８の取り外しができないようになっている。
【００３５】
図５に戻って、載置部８２の上面には金属板の補強プレート１３０が取り付けられる。補強プレート１３０は、載置部８２の左右のスリット溝９０の間にわたる長さを有して載置部８２の上面に重ね合わされる平板部１３２と、平板部１３２の後端から上方に延びて底板部８０の表面に重ね合わされる縦壁１３４と、平板部１３２の左右両端から下方に延びてスリット溝９０に差し込まれる軸支板部１３６とを備える。
軸支板部１３６には、スリット溝９０に差し込まれた状態で回動軸部８６の軸孔８８と同軸上に位置する孔１３７が設けられ、孔１３７は軸孔８８と同径である。
【００３６】
縦壁１３４には、２つの封止ブロック部１００をカバーする切欠穴１４０が形成されるとともに、切欠穴１４０の範囲において平板部１３２は封止ブロック部１００の下を延びており、補強プレート１３０が可動ベース部２８に固定された状態において、封止ブロック部１００内に形成される空間の開口をカバーする。
なお、底板部８０の前面は補強プレート１３０に対応する領域１１６が補強プレートの板厚分だけ窪んでおり、底板部８０の表面が補強プレート１３０とその周辺を含めて平滑な一平面をなすようになっている。
補強プレート１３０の縦壁１３４には、切欠穴１４０を挟む両側に、底板部８０の窓穴１０７にそれぞれ重なる位置に矩形の窓穴１４２が形成されている。
【００３７】
図８は窓穴１４２部における補強プレートと底板部の固定構造を示す図である。
補強プレート１３０の窓穴１４２を形成する際の切り起こし片は、当該窓穴１４２の上辺から後方へ曲げられてブラケット部１４４となっている。ブラケット部１４４は、底板部８０の窓穴１０７を通過してネジブロック１０８の下端面に重なる。
ブラケット部１４４に形成された挿通孔１４５を通して、固定ネジを下方からネジブロック１０８のネジ孔１０９にねじ込むことにより、補強プレート１３０が可動ベース部２８に固定される。
この補強プレート１３０により、可動ベース部２８の剛性が高まるので、封印部を抉るなどの試みが行われても、可動ベース部２８が保持している基板ボックス３０の撓みが抑えられ、不正行為を困難とする。
【００３８】
図５、図７に示すように、側板部８５の下端部とボス板部１２５には同軸の錠取付穴８９が形成されている。錠取付穴８９の位置は、可動ベース部２８を起立姿勢位置にしたとき、固定ベース部２６の錠取付穴７５と重なるよう設定され、例えば南京錠などを取り付けることによって、可動ベース部２８の人為的な傾倒を禁止できる。
【００３９】
以上の構成を有する台座装置２５は、まず、固定ベース部２６の表面側から取付フランジ部４２の穴４３に取付ネジを挿通して、筐体本体２の背板２ｃ内側の対応する箇所に予め設けられているナット部にねじ込む。
さらに、可動ベース部２８を起立姿勢位置とした状態で、可動ベース部の補強プレート１３０の窓穴１４２と底板部８０の窓孔１０７とを通して取付フレーム部材４８の穴６２に取付ネジを挿通して、筐体本体２の背板２ｃ内側の対応する箇所に予め設けられているナット部にねじ込むことにより、背板２ｃに固定される。
また、背板２ｃに予め形成された挿通孔に、外部からネジを挿入し取付フランジ部４６の穴４７に設けられたナットにねじ込む。
これにより、固定ベース部２６は、背板２ｃに対して前方および後方の両方から固定されるので、前方または後方の一方からのみでは背板２ｃから取り外すことができない。
【００４０】
とくに基板ボックス３０を可動ベース部２８に保持した状態では、可動ベース部の窓孔１０７、１４２が基板ボックス３０によって塞がれるので、可動ベース部２８の前方からこれらの窓孔にスクリュードライバの先端を差し込むこともできない。
また、取付フレーム部材４８の穴６２は、回動中心軸線Ｚの近傍であるから、可動ベース部２８を傾倒姿勢とした場合でも、スクリュードライバの先端を差し込むことができない。
【００４１】
次に、主制御装置２２の構成について説明する。
図９は主制御装置２２の分解斜視図である。
基板ボックス３０は表側の第１ボックス２００と裏側の第２ボックス３００とからなっている。
主基板２３は、隅角部に設けられた小孔２４を通して不図示のネジにより第１ボックス２００の内側に取り付けられる。主基板２３上には、図示しない配線パターンが形成されるとともに、ＣＰＵやＲＯＭ等のＩＣチップを含む各種電子部品、ソケット等が実装されている。
【００４２】
第１ボックス２００は、主基板２３上の比較的背の高い電子部品等を収容可能とする主基板収容部２０１を有しており、その周縁部には、一段低い段部２０２が形成されている。
段部２０２には、主基板上のソケットを挿通させるための複数のソケット挿通孔２０３が形成されている。
主基板収容部２０１の表面には、封印履歴記録シートを貼付するための貼付枠２０４が設定されている。
【００４３】
第１ボックス２００の右端には、上下方向略中央に固定面２０５が形成されている。固定面２０５は、基板ボックス３０を可動ベース部２８に載置したとき、可動ベース部２８の固定ブラケット部１１８の裏面に重なるように設定され、基板ボックス３０を可動ベース部２８に固定するためのネジ孔２０６を備えている。
固定面２０５の内側（左方）には段差をもって平面部２０７が隣接し、基板ボックス３０を可動ベース部２８に固定したときに、固定ブラケット部１１８の表面と面一に連続するようになっている。
平面部２０７と固定ブラケット部１１８の表面は協働して封印シール（図示せず）のシール貼付面を形成する。すなわち、封印シールを平面部２０７と固定ブラケット部１１８の両者にまたがって貼付することにより、一旦剥がされるとシール貼付面に剥がされた形跡を残す。
【００４４】
第１ボックス２００の左右両端の側壁２１０には、上下方向全高さにわたって外方へ突出するレール形成部２１１が設けられている。
第２ボックス３００は、第１ボックス２００に取り付けられた主基板２３の裏面に対向する底板部３０１を有している。底板部３０１の内面には格子状のリブ３０２が設けられて剛性を高めている。底板部３０１の左右両端の側壁３１０には、上下方向全高さにわたって外方へ突出するレール形成部３１１が設けられている。
【００４５】
図１０は第１ボックス２００と第２ボックス３００のレール形成部を示す図である。
（ａ）はレール形成部２１１の側面図、（ｂ）は（ａ）におけるＡ−Ａ部拡大断面図、（ｃ）はレール形成部３１１の側面図、（ｄ）は（ｃ）におけるＢ−Ｂ部拡大断面図、そして（ｅ）は結合状態を示す断面図である。
レール形成部２１１には、側壁２１０の後端縁から外方に起立して、上下方向に延びる複数のリブ２１１ｂが上下に一列に並ぶように設けられ、各リブの下端から後方へ延びる片とその後端から下方へ延びる片とからなるＬ字状の複数の引掛部２１２が形成されている。
また、これらの引掛部２１２に接続して、引掛部２１２の外側に側壁２１０の上下方向全高さにわたる一定幅の帯板部２１１ａが側壁２１０と平行に形成されている。
【００４６】
レール形成部３１１には、側壁３１０から外方に起立して、基板高さ方向（前後方向）に延びる片とその前端から側壁３１０の前縁に沿って上方へ延びる片とからなるＬ字状の複数の引掛部３１２が所定間隔をおいて上下に一列に並ぶように設けられている。
また、側壁３１０から外方に起立して、上下方向全高さにわたる一定幅の縦壁部３１１ａが形成され、この縦壁部３１１ａは、引掛部３１２の前後方向に延びる片の後端をつないでいる。
【００４７】
第１ボックス２００と第２ボックス３００はこれら複数の引掛部２１２と引掛部３１２との係止により結合して、中空箱状の基板ボックス３０を形成する。
すなわち、第１ボックス２００を第２ボックス３００に対向させて上方に所定量ずらせた位置で、第１ボックスの引掛部２１２を第２ボックスの引掛部３１２の間に置いて第１ボックスと第２ボックスを重ね合わせ、それから第１ボックス２００を第２ボックス３００に対して相対的に下方へスライドさせることによって引掛部２１２と引掛部３１２が互いに係止する。
【００４８】
とくに図１０の（ｅ）に示すように、第１ボックス２００と第２ボックス３００の結合状態において、帯板部２１１ａの後端縁は縦壁部３１１ａに当接するとともに、縦壁部３１１ａの外方端縁は帯板部２１１ａの外面と面一になるように設定されている。
これにより、第１ボックスのレール形成部２１１と第２ボックスのレール形成部３１１とは協働して、基板ボックスの上下方向に延びるレール３２を形成する。
【００４９】
図９に戻って、第１ボックス２００の下端には封印部を形成するため、左端部に連結部で下端壁２２２に接続したアッパブラケット２３０と、アッパブラケット２３０に隣接して左右方向中央部に延びる矩形ブロック２５０が形成されている。
図１１は第１ボックス２００の裏面を示す。
アッパブラケット２３０と矩形ブロック２５０の間には、裏面（第２ボックス側）に開口したネジ孔２１６を備える連結固定部２１５が設けてある。
第１ボックス２００の上端壁２０９には、その後端の裏面に下方に向かって延びる複数の係止ブロック２１４が左右方向一列に並んで形成されている。
【００５０】
図９に示すように、第２ボックス３００の上端壁３０８における一段低くなった前部には、第１ボックス２００の係止ブロック２１４に対応させて係止凹部３１６が形成されている。
第１ボックス２００と第２ボックス３００の結合状態において、第１ボックス２００の上端壁２０９における係止ブロック２１４が並んだ部分は第２ボックス３００の上端壁３０８における一段低くなった前部の上に重なる。
これにより、第１ボックス２００を第２ボックス３００との結合位置へスライドさせたときに第１ボックス２００の係止ブロック２１４が係止凹部３１６に嵌まり込む。
【００５１】
そして、第２ボックス３００には、第１ボックス２００の連結固定部２１５に対応して矩形の固定ブロック３０４が設けられている。
固定ブロック３０４は、第１ボックス２００と第２ボックス３００の結合状態において、第１ボックス２００の連結固定部２１５のネジ孔２１６に対応する穴３０５を有しており、この穴３０５からネジをネジ孔２１６にねじ込むことにより、第１ボックス２００と第２ボックス３００とが互いに固定される。
【００５２】
第２ボックス３００の上端壁３０８は底板部３０１よりも後方へ張り出しており、底板部３０１の裏面（外面）には上端壁３０８から下方に延びる形で、底板部３０１の裏面との間にスリット溝３１８を形成する係止ブロック３１７が左右方向に複数設けられている。
スリット溝３１８には、基板ボックス３０を可動ベース部２８に保持したときに、可動ベース部２８の突出片１２２（図５参照）が挿入されて係止する。
【００５３】
第２ボックス３００の下端には封印部を形成するため、左端部で連結部で下端壁３２２に接続したロアブラケット３３０と、下端壁３２２の左右方向中央に設けた封印ブロック部３６０と、封印ブロック部３６０の左右両側で下端壁３２２から下方に延びるカバー板部３５０が形成されている。
【００５４】
つぎに、封印結合構造について説明する。
図３に示すように、基板ボックス３０の下端部には、左端から順に第１封印部３４と、第２封印部３６、第３封印部３８および第２封印部３６が並んで設定され、第３封印部３８は基板ボックス３０の左右方向中央に位置している。各封印部近傍にはＡ〜Ｆの符号が付せられている。
第１封印部３４（Ａ）と第３封印部３８（Ｆ）は第１ボックス２００と第２ボックス３００を封印結合するもので、第２封印部３６（Ｂ、Ｃ、Ｄ、Ｅ）は基板ボックス３０を可動ベース部２８に封印結合するためのものである。
【００５５】
まず、第１封印部３４の封印結合構造を説明する。
第１封印部３４は、以下に示すように、第１ボックス２００の下端壁２２２から連結部２２８を介して延びるアッパブラケット２３０、第２ボックス３００の下端壁３２２から連結部３２８、３２９を介して延びるロアブラケット３３０、および重ね合わされたアッパブラケット２３０とロアブラケット３３０とに被せる封印キャップ５００とからなる。
なお、第１封印部３４にかかる以下の説明では、第１ボックス２００と第２ボックス３００の重ね合わせ方向に沿ってアッパブラケット２３０とロアブラケット３３０が上下に重ね合わされる方向を上下方向とし、第１ボックス２００の下端壁２２２に近い側を根元、遠い側を先端、そして下端壁２２２から連結部２２８およびアッパブラケット２３０が延びる方向（図３においては上下方向）を長手方向とする。
【００５６】
図１２、図１３はアッパブラケット２３０の構造を示し、図１２の（ａ）は平面図、（ｂ）は裏面図、図１３の（ｃ）は先端側から見た正面図、（ｄ）は側面図である。（ａ）は図３における正面図に相当する。
アッパブラケット２３０は、略矩形の主板２３１の根元側の辺（下端壁に面した辺）に端板２３２を有している。
主板２３１は下端壁２２２に対して垂直で、第１ボックス２００と第２ボックス３００の重ね合わせ面に平行である。主板２３１の下面は下端壁２２２の重ね合わせ端縁Ｋ（第２ボックス３００の下端壁との突き合わせ面）よりわずかに所定量下方にずれている。
【００５７】
主板２３１はその先端側略１／３の部分の側辺が先細に傾斜して、先端の幅が端板２３２側の根元よりわずかに小さくなっている。主板２３１の側縁には全長にわたってフランジ２３８が立っており、主板２３１の上面にはフランジ２３８にそって溝２３５が形成してある。
端板２３２は、主板２３１の板面と平行に長手方向から見たとき（図１３の（ｃ））、主板２３１の上下および左右方向に張り出して外周輪郭が台形をなしており、底辺に対して上辺がわずかに短い。
端板２３２の上辺の中央には所定幅の切欠き２３３が形成してある。
【００５８】
主板２３１の上面には、端板２３２の中央部に連なって左右斜め方向に延び、溝２３５で切れる堤部２３４が形成してある。堤部２３４の高さはフランジ２３８よりも高く、上面が切欠き２３３の底に連なっている。
主板２３１の上面の溝２３５に挟まれた領域には、さらに堤部２３４から先端方向に向けて複数（ここでは５本）のビード２３６が互いに平行に延びている。各ビード２３６の長さは、堤部２３４から先端側の平面部分の長手方向略１／３程度であり、高さは堤部２３４よりわずかに低い。
【００５９】
主板２３１には先端から根元方向に延びる２本のスリット２３７が形成され、先端中央で当該スリット２３７に挟まれた部分は両側の部分より根元側へ後退して、後述する封印キャップ５００におけるキャッチャ５２３の縦壁５２４を逃げるようになっており、また、スリット２３７自体もキャッチャ５２３のフランジ５２７に対する逃げとなっている。スリット２３７の根元側奥端はフランジ５２７に対応して傾斜面となっている。
主板２３１の下面には、スリット２３７にそってスリット２３７の外側に爪２４０が形成されている。爪２４０は根元側が主板２３１の下面に対して垂直な係止面２４０ａとなっており、係止面２４０ａから先端側が下面に向う傾斜面２４０ｂとなっている。
【００６０】
アッパブラケット２３０を第１ボックス２００の下端壁２２２につなぐ連結部２２８は、第１ボックス２００と第２ボックス３００の重ね合わせ方向にそった板状で、上縁が下端壁２２２からアッパブラケット２３０の端板２３２まで延び、端板２３２の切欠き２３３の底に連なっている。連結部２２８の下部は主板２３１の下面を延びてスリット２３７に挟まれた部分から突出して、その先端に下方に突出する爪２４２を形成している。突出部分の連結部２２８の上面は主板２３１の下面の延長線上である。
爪２４２は根元側を垂直の係止面２４２ａとし、係止面２４２ａから先端側が傾斜面２４２ｂとなっている。係止面２４２ａは長手方向において主板２３１の先端近傍に位置している。
【００６１】
第１ボックス２００の下端壁２２２の外面には、連結部２２８を囲むカバー堤２２６がビード状に設けてある。カバー堤２２６は封印キャップ５００における後述する連結部カバー部５０１のフランジ５０６の上縁および側縁に沿うように設定された上辺部２２６ａと側辺部２２６ｂを有している。
連結部２２８は下端壁２２２からアッパブラケット２３０の端板２３２までの間その上下幅が大きい等幅（上縁と下縁が平行）であるが、下端壁２２２からの距離がカバー堤２２６の下端壁２２２からの突出高さに等しくなった位置でカバー堤２２６の上辺部に向かって延び、上辺部２２６ａに接続している。
【００６２】
図１４、図１５は第２ボックス３００のロアブラケット３３０の構造を示し、図１４の（ａ）は平面図、（ｂ）は裏面図、図１５の（ｃ）は先端側から見た正面図、（ｄ）は側面図、（ｅ）は（ａ）におけるＣ−Ｃ部断面図、（ｆ）は（ａ）におけるＤ−Ｄ部断面図である。
ロアブラケット３３０はベース３３１と、これにつながった先端ブロック３３５とを有する。
ベース３３１は上面が左右に２分された平坦部３３２からなり、その間の中央には長手方向に樋溝３３３が形成されている。
【００６３】
樋溝３３３は、アッパブラケット２３０の主板２３１の下面を延びる連結部２２８を収容可能な幅と深さの断面を有しており、下端壁３２２と平行な側方から見たとき（図１５の（ｅ））根元側略１／３は平坦部３３２と平行で、さらに先端側は底壁が上方に傾斜している。
平坦部３３２の上面には、樋溝３３３にそって爪３４０が設けてある。爪３４０はアッパブラケット２３０の爪２４０に対応しており、先端側に平坦部３３２の面に対して垂直の係止面３４０ａを有し、根元側に傾斜面３４０ｂを有している。そして、第１ボックス２００と第２ボックス３００の結合位置においてアッパブラケット２３０とロアブラケット３３０を重ねたときに、係止面３４０ａが爪２４０の係止面２４０ａと係止するように設定してある。
【００６４】
先端ブロック３３５は左右の接続壁３３４でベース３３１の平坦部３３２とつながっており、接続壁３３４の間は空間Ｓ１となっている。接続壁３３４の上面は、平坦部３３２の上面に接続するとともに、先端ブロック３３５側が高く傾斜している。
先端ブロック３３５は長手方向に対して垂直、すなわち第２ボックス３００の下端壁３２２と平行に立ち上がった面を有し、この面はアッパブラケット２３０の主板２３１の先端との対向面３３６となる。
【００６５】
接続壁３３４と先端ブロック３３５は全体として、左右の平坦部３３２の外辺間の距離を直径とする半円の外周輪郭をもつように成形してある。
ベース３３１の平坦部３３２から接続壁３３４にわたっては外周縁にそって立ち上がるフランジ３３８が形成されている。
フランジ３３８の上端面は平坦部３３２と平行で、下端壁３２２の重ね合わせ端縁Ｋの下方に所定量ずれており、第１ボックス２００と第２ボックス３００を重ねたときアッパブラケット２３０の主板２３１を受ける。フランジ３３８の上端面の平坦部３３２に対する高さは、アッパブラケット２３０の端板２３２の下縁と主板２３１の下面間の距離と同等に設定してある。
【００６６】
先端ブロック３３５の左右方向中央には、アッパブラケット２３０先端の爪２４２を受けるトンネル形状の爪収容部３３７が形成されている。爪収容部３３７の外面は先端ブロック３３５における左右の領域よりも上方に突出している。爪収容部３３７の天井の根元側は、フランジ３３８の上端面にアッパブラケット２３０の主板２３１を重ねたとき、爪２４２の上面（連結部２２８の先端上面）よりも高いが、途中から傾斜させて先端側では爪２４２の上面よりもわずかに低くなるように設定してある。
【００６７】
これにより、第１ボックス２００を第２ボックス３００に対して結合位置へスライドさせたとき連結部２２８の先端部を弾性変形させて爪２４２を押下げるようになっている。
爪収容部３３７の下部は開放されている。
なお、前述の爪収容部３３７の先端側の天井高さはフランジ３３８の上端面よりわずかに低いことになる。
さらに、先端ブロック３３５には円弧外周縁にそってさらに立ち上がり、爪収容部３３７の上壁外面と略同高さのフランジ３３９が形成してある。
【００６８】
ロアブラケット３３０を第２ボックス３００の下端壁３２２につなぐ連結部は、平坦部３３２の外側の辺に沿ってその根元側から延びる２本の連結部３２８と、樋溝３３３の長手方向中心線に沿って樋溝の根元側から延びる連結部３２９との３本である。いずれも左右幅は平坦部３３２の板厚程度である。
連結部３２８の上面（上縁）は平坦部３３２の上面に連なって下端壁３２２に対して垂直である。連結部３２９の上面（上縁）は樋溝３３３の底面に連なって下端壁３２２に対して垂直である。各連結部３２８、３２９の上下幅は、ロアブラケット３３０側において、接続する平坦部３３２および樋溝３３３の板厚と同じで、下端壁３２２側で大きくなるように傾斜している。
【００６９】
第２ボックス３００の下端壁３２２の外面には、連結部３２８、３２９を囲むカバー堤３２４がビード状に設けてある。カバー堤３２４は封印キャップ５００における後述する連結部カバー部５０１の下壁５０４、膨出部５０５およびフランジ５０６の側縁に沿うように設定された側辺部３２４ａと下辺部３２４ｂを有している。
下端壁３２２には、その重ね合わせ端縁Ｋから連結部３２９の上面の高さまで、アッパブラケット２３０の連結部２２８を通過させる切欠き３２６を形成してある。
【００７０】
図１６〜図１８は封印キャップ５００の構造を示し、図１６の（ａ）は平面図、（ｂ）は裏面図、図１７の（ｃ）は側面図、（ｄ）は開口端側から見た図、（ｅ）は先端側から見た図、図１８の（ｆ）は（ａ）におけるＥ−Ｅ部断面図、（ｇ）は（ｆ）におけるＦ−Ｆ部断面図、（ｈ）は（ｆ）におけるＧ−Ｇ部断面図である。
封印キャップ５００は樹脂製で、重ね合わせたアッパブラケット２３０とロアブラケット３３０とをカバーするブラケットカバー部５１０と、連結部２２８、３２８および３２９をカバーする連結部カバー部５０１とからなっている。
連結部カバー部５０１は、基本断面形状が台形で、上半部の内壁がアッパブラケット２３０の端板２３２の台形輪郭に整合するよう設定されている。下半部の内壁は樋溝３３３を含むロアブラケット３３０を通過させる形状を有するとともに、とくに下壁５０４には連結部３２９を収容する膨出部５０５を有している。
【００７１】
連結部カバー部５０１の開口端における上壁５０２の中央には連結部２２８の下端壁２２２への付け根部分を逃げる切欠き５０７が形成してある。
連結部カバー部５０１はその開口端において、外縁が上壁５０２および下壁５０４に対して垂直となるフランジ５０６を側壁５０３から外方に延ばしている。フランジ５０６の左右方向高さは下壁５０４につながる角部で０（ゼロ）となっており、長手方向から見た開口端の角部から上の外周輪郭が矩形である。
なお、下壁５０４から側壁５０３への角部は、上壁５０２から側壁５０３への角部よりも比較的大きな径でアール（Ｒ）整形されている。
【００７２】
ブラケットカバー部５１０は平面形が根元側方形、先端側半円で、根元側が開口し先端側は閉じている。
根元側の開口端の外壁は連結部カバー部５０１の内壁と整合している。開口端の台形形状にしたがって、平面図上の上壁５１２と下壁５１４の外周輪郭は相似形となっている。
連結部カバー部５０１の上壁５０２および膨出部５０５の各先端部中央には切欠き５０９が形成され、これらの切欠き内でブラケットカバー部５１０の上壁５１２と下壁５１４の膨出部５１５それぞれの開口端部がリブ５０８により上壁５０２および膨出部５０５と接続している。切欠き５０９はリブ切断用の工具の刃先を受け入れ可能となっている。
これらの接続位置以外では連結部カバー部５０１とブラケットカバー部５１０間は微小な間隙となっている。
なお、図１７の（ｄ）は簡単化のため、連結部カバー部５０１とブラケットカバー部５１０の各開口端面のみを示している。
【００７３】
ブラケットカバー部５１０の開口端部における内壁の中央部の高さ寸法は、膨出部５１５を除いて、アッパブラケット２３０の主板２３１とロアブラケット３３０のフランジ３３８を含む平坦部３３２とを重ねた状態における平坦部３３２の下面からアッパブラケット２３０の堤部２３４の上面までの厚さに略整合させて収容可能となっている。
ブラケットカバー部５１０の下壁５１４の膨出部５１５は、ロアブラケット３３０の樋溝３３３を収容可能となっており、膨出部５１５の下面は長手方向途中から先端に向かって下壁５１４の一般面まで傾斜している。
【００７４】
ブラケットカバー部５１０の上壁５１２には、先端側外形の半円に沿った周縁をもち、開口端にそって直線部を有する略円形のプレート保持穴５１８を形成してある。
プレート保持穴５１８内には自由状態で上壁５１２に略沿った高さに遊動プレート５２０の本体プレート部５２０ａが配置されている。
なお、平面図上、ブラケットカバー部５１０の上壁５１２は切欠き５０９内に延びる突出部５１１を有して面積を広げ、開口端部における上壁５１２の剛性を保持している
【００７５】
遊動プレート５２０はプレート保持穴５１８の内周縁とは間隔をもっており、その本体プレート部５２０ａの基本形状は先端側がプレート保持穴５１８の内周縁に略沿っており、側縁が長手方向に平行な直線からプレート保持穴５１８の内周縁に沿う曲線部となり、後端（根元側）は長手方向に対して横に延びる略直線となっている。
本体プレート部５２０ａの上面はわずかに球面状に膨らんでおり、その中央部分は上壁５１２の一般面から突出している。
本体プレート部５２０ａにはアッパブラケット２３０の主板２３１上に形成されたビード２３６を収容可能なスリット５２１が形成されている。スリット５２１は、ブラケットカバー部５１０の開口端側に開口して長手方向に延びている。形成されるとともに、さらに本体プレート部５２０ａの側縁には矩形の切欠き５２２が形成されている。スリット５２１および切欠き５２２が形成された縁部は櫛歯状の脆弱部となる。
【００７６】
本体プレート部５２０ａの裏面（下面）にはアッパブラケット２３０の爪２４２と係止するためのキャッチャ５２３が形成してある。
キャッチャ５２３は、本体プレート部５２０ａの先端裏面から立ち下がった縦壁５２４に矩形穴５２５を有しており、縦壁５２４の倒れを防止するためのフランジ５２７を両側縁から裏面間に延ばしている。フランジ５２７の端縁は根元側に面して傾斜している。
矩形穴５２５はアッパブラケット２３０の爪２４２が通過可能なサイズとしてある。
矩形穴５２５の下縁は自由状態において、封印キャップ５００を被せるアッパブラケットの主板２３１の下面と同じ高さに設定してある。
矩形穴５２５の下縁の根元側は下方に向いた傾斜面５２６とされ、爪２４２の傾斜面を受けて爪２４２が滑らかに矩形穴５２５に進入するようになっている。矩形穴５２５の根元側の他の辺縁も適度な面取りを施してある。
【００７７】
遊動プレート５２０とプレート保持穴５１８の内周縁間のスペースには、プレート保持穴５１８の内周縁にそった細幅の支持片５２８が延び、その先端側の一端はプレート保持穴５１８の内周縁にそって回り込んだ上で折り返し片５２８ａで本体プレート部５２０ａの先端の縦壁５２４の側辺に接続し、他端は本体プレート部５２０ａの側縁にそった直線状にプレート保持穴５１８の根元側における内周縁に接続している。左右の折り返し片５２８ａに挟まれた空間Ｓ２は、ロアブラケット３３０における先端ブロック３３５の爪収容部３３７を受け入れるスペースとなっている。
【００７８】
支持片５２８は自由状態で上面が本体プレート部５２０ａの下面と面一で、本体プレート部５２０ａよりも薄板である。すなわち、支持片５２８の上面は遊動プレート５２０およびブラケットカバー部上壁５１２の外面よりも低くなっている。薄板で両端間が長い支持片５２８は弾性を示し、遊動プレート５２０は当該遊動プレートに対する荷重の付加点によってその高さ位置および姿勢が変化可能である。
【００７９】
平面図上、プレート保持穴５１８内周縁にそって、支持片５２８の外側には段差部５１９が内方に張り出して形成されている。段差部５１９の上面は支持片５２８の下面と略同じ高さであり、一端は空間Ｓ２で切れている。また、段差部５１９の他端はプレート保持穴５１８の内周縁に続いてブラケットカバー部５１０の開口端まで側壁５１３にそって直線状に同じ高さで延びている、段差部５１９の下面は下壁５１４から一定高さとなっており、開口端側の直線部分は、アッパブラケット２３０とロアブラケット３３０に封印キャップ５００を被せる際の、アッパブラケット２３０のフランジ２３８の上端縁に対する相対的なスライド面となる。
【００８０】
すなわち、下壁５１４から段差部５１９の下面までの上記一定高さは、アッパブラケット２３０とロアブラケット３３０を重ねた状態におけるロアブラケット３３０の平坦部３３２の下面からアッパブラケット２３０のフランジ２３８の上面までの厚さに整合させてある。また段差部５１９の下面の高さにおける左右の側壁５１３の内壁間の距離も、アッパブラケット２３０の主板２３１（フランジ２３８）の幅と整合させてある。
【００８１】
以下、上述した部材からなる第１封印部３４の封印手順について説明する。
まず、図１９の（ａ）に示すように、第２ボックス３００に対してスライド方向にずらせた状態で第１ボックス２００を第２ボックス３００上に重ね合わせる。両ボックスのずらせ量は、例えばアッパブラケット２３０の端板２３２が第２ボックス３００における下端壁の外面に接しようとする程度に位置づけて、（ｂ）に示すように、アッパブラケット２３０の爪２４２の先端が、ロアブラケット３３０における接続壁３３４に挟まれた空間Ｓ１にわずかに臨むようにする。
この状態で、アッパブラケット２３０の連結部２２８がロアブラケット３３０の中央の連結部３２９の上面（上縁）に載り、図示していないが、主板２３１がフランジ３３８の上縁に載る。
なお、図１９の（ａ）は爪２４０、３４０を通る断面を示し、（ｂ）および（ｃ）は幅方向中心を通る断面を示している。
【００８２】
つぎに、これらアッパブラケット２３０とロアブラケット３３０に封印キャップ５００を被せる。すなわち、封印キャップ５００の連結部カバー部５０１の開口を先にして、下壁５１４をロアブラケット３３０の平坦部３３２の下面に沿わせながらロアブラケット３３０の先端側から挿し込んでいく。途中からは段差部５１９の下面がアッパブラケット２３０のフランジ２３８の上端縁上をスライドすることになるので、封印キャップ５００の先端を押すだけで滑らかに挿し込める。
封印キャップ５００のキャッチャ５２３は封印キャップ内を上下に横切るように本体プレート部５２０ａから立ち下がっているが、挿し込みの途中では、図１９の（ｂ）に示すように、キャッチャのフランジ５２７の傾斜している端縁あるいは縦壁５２４の下端がロアブラケット３３０の先端ブロック３３５上を滑りながら逃げて遊動プレート５２０が姿勢変化することにより先端ブロック３３５を乗り越える。
【００８３】
こうして、連結部カバー部５０１の開口端面が第２ボックス３００の下端壁３２２に当接するまで封印キャップ５００を挿し込むと、図１９の（ｃ）に示すように、キャッチャ５２３（縦壁５２４）はロアブラケット３３０のベース３３１と先端ブロック３３５の間の空間Ｓ１に嵌まり込むことになる。
キャッチャ５２３が先端ブロック３３５に係止して封印キャップ５００は長手方向には抜けなくなる。
連結部カバー部５０１の先端はカバー堤３２４によって囲まれる。
このあと、第１ボックス２００を第２ボックス３００に対して結合位置へ向かって、すなわち第１ボックス２００を正面から見て下方に、スライドさせる。
これにより、アッパブラケット２３０の爪２４２がキャッチャ５２３（縦壁５２４）の矩形穴５２５に進入する。この間、矩形穴５２５の傾斜面が爪２４２の傾斜面に押下げられて遊動プレート５２０は封印キャップ５００の内方へ沈む姿勢変化を見せる。
【００８４】
結合位置に至ると、図２０の（ｄ）に示すように、アッパブラケット２３０の主板２３１の先端とロアブラケットにおける先端ブロック３３５の対向面３３６（図１４、１５参照）とが近接対向する。そして、爪２４２がキャッチャ５２３の矩形穴５２５を先端側へ抜け出る。同時に、（ｅ）に示すように、アッパブラケット２３０の爪２４０（の係止面）がロアブラケット３３０の爪３４０（の係止面）に係止して、第１ボックス２００の第２ボックス３００に対するスライド方向の抜けを阻止する。
【００８５】
図２０の（ｄ）において、キャッチャ５２３を通り抜けた爪２４２の係止面２４２ａ（図１３参照）は矩形穴５２５の穴縁から先端方向にわずかに離間しているが、封印キャップ５００を抜こうとすればその遊動プレートのキャッチャ５２３も一体に移動して、矩形穴５２５の穴縁が爪２４２の係止面２４２ａに当接して係止されるから、（ｄ）図示の状態において遊動プレート５２０は爪２４２により抜け阻止される位置関係となっている。もちろん、結合位置において爪２４２の係止面２４２ａと矩形穴５２５の穴縁が当接していてもよい。
なお、爪２４０と爪３４０の係止についても、第１ボックス２００と第２ボックス３００間のスライド方向の抜けを阻止するものであるから、第１ボックス２００と第２ボックス３００の結合位置において互いの係止面２４０ａ、３４０ａが当接している状態のほか、係止面２４０ａと３４０ａが若干離間して対向している状態も含まれる。
以上の抜け阻止の組み合わせにより第１ボックス２００と第２ボックス３００の結合は封印状態となる。
そして、下端壁２２２のカバー堤２２６が封印キャップ５００の連結部カバー部５０１の先端を囲む。
なお、図２０の（ｄ）および（ｆ）は幅方向中心を通る断面を示し、（ｅ）は爪２４０、３４０を通る断面を示している。
【００８６】
図２０の（ｄ）、（ｅ）に示した封印状態では、封印キャップ５００は遊動プレート５２０の縦壁５２４をアッパブラケット２３０の爪２４２に貫通されて、空間Ｓ１に嵌まり込んだ状態から上下方向にも抜けなくなる。
封印キャップ５００の下壁５１４から段差部５１９の下面までの高さがアッパブラケット２３０とロアブラケット３３０を重ねた状態におけるロアブラケット３３０の平坦部３３２の下面からアッパブラケット２３０のフランジ２３８の上面までの厚さに整合させてあるので、アッパブラケット２３０とロアブラケット３３０が重ね合わせ方向に離間することはないから、爪２４０と爪３４０の係止が外れることもない。
なお、封印キャップ５００の上壁５１２の突出部５１１は、アッパブラケット２３０における端板２３２の切欠き２３３に嵌まり込む。
また、縦壁５２４に係止している爪２４２は爪収容部３３７の天井によってわずかに押下げられているので、これも爪２４０と爪３４０の係止保持を助ける。
【００８７】
この封印状態ではまた、自由状態でアッパブラケット２３０の主板２３１の下面高さにあった矩形穴５２５の下縁が連結部２２８における爪２４２を支持する首部の厚さ（高さ）分だけ押下げられるので、遊動プレート５２０はブラケットカバー部５１０のプレート保持穴５１８の穴縁より所定量沈んだ位置となる。
そこで、図２０の（ｆ）に示すように、遊動プレート５２０が沈んだプレート保持穴５１８全体に硬化樹脂Ｐを充填する。硬化樹脂Ｐは、紫外線など光の照射により硬化する樹脂、加熱により硬化する樹脂あるいは空気中での時間経過により硬化する樹脂から選択するが、非可逆性の硬化樹脂が好ましい。
【００８８】
本体プレート部５２０ａは周縁にスリット５２１や切欠き５２２を有しているので、硬化樹脂Ｐはプレート保持穴５１８の内周面との接着だけでなく、本体プレート部５２０ａの裏面側にも回り込んで、アッパブラケット２３０の主板２３１やビード２３６（図１２参照）と広くかつ複雑な接着面をもち、遊動プレート５２０を含めた封印キャップ５００とアッパブラケット２３０間の強固な接着状態が得られる。
【００８９】
主制御装置２２の不具合発生や検査等のため、正規に封印を解除するためには、先ず封印キャップ５００における連結部カバー部５０１とブラケットカバー部５１０を接続しているリブ５０８を切断する。連結部カバー部５０１の内壁はブラケットカバー部５１０の外壁と整合しわずかな間隙をもっているので、リブ切断により連結部カバー部５０１を抜き出すことができる。
これにより、連結部２２８、あるいは連結部３２８、３２９が露出するので、これらを工具で切断すれば第１ボックス２００と第２ボックス３００が互いにスライド可能となり基板ボックス３０を開くことができる。
したがって封印を解除すれば、連結部２２８、３２８、３２９を切断した痕跡や、さらにその前段としてこれらを隠している連結部カバー部５０１除去のためリブ５０８を切断した痕跡が残る。
【００９０】
このため、第１ボックス２００と第２ボックス３００を不正に分離するためには、硬化樹脂Ｐを削り取るなどして除去し、封印キャップ５００のプレート保持穴５１８と本体プレート部５２０ａの隙間から爪２４０と爪３４０の係止部分にアクセスしなければならないが、本体プレート部５２０ａの周縁はスリットや切欠きで脆弱構造となっているから、硬化樹脂Ｐを除去しようとすれば必ず硬化樹脂Ｐとともに本体プレート部５２０ａの周縁が引きちぎられてその痕跡が残る。また、除去できなくてプレート保持穴５１８内に残った硬化樹脂Ｐに対して、再度硬化樹脂を流し込んでも、界面の発生により破壊の痕跡が残ることになる。
【００９１】
つぎに、基板ボックス３０と可動ベース部２８とを結合封印する第２封印部３６の封印結合構造について説明する。
図２１は第１ボックス２００の矩形ブロック２５０を示し、（ａ）は正面図、（ｂ）は（ａ）におけるＨ−Ｈ部断面図である。
第１ボックス２００の下端壁２２２に形成された矩形ブロック２５０は、アッパブラケット２３０側から順に２つの角孔部２５１と１つの角孔部２５２に区画された枠形状をなしており、前方から見て各角孔部２５１、２５２の略中央に、軸を前後方向とした筒状体２５５が配置されている。
角孔部２５２を挟んで反対側にも２つの角孔部２５１が形成されている。
角孔部２５２の下壁の下面は角孔部２５１の下壁の下面よりも所定量上方にずれている。
矩形ブロック２５０の後面は下端壁２２２の第２ボックス３００の下端壁３２２との外面における重ね合わせ端縁Ｋに一致している。
第２封印部３６は第１ボックス２００の角孔部２５１と第２ボックス３００のカバー板部３５０を用いる。
【００９２】
筒状体２５５の前端部が上下の脆弱な連結部２５４によって角孔部２５１の上内壁（下端壁）と下内壁に連結されている。すなわち、連結部２５４を切断することで筒状体２５５を切除できる。
筒状体２５５は前端および後端が矩形ブロック２５０（角孔部２５１）の前面および後面に一致している。筒状体２５５は前端から後端近くまでを大径孔２５７、後端部を大径孔よりも小さい小径孔２５８とする貫通孔２５６を有している。
貫通孔２５６の上端には、大径孔２５７から小径孔２５８にかかるまで軸方向の溝２５９が形成されている。
【００９３】
先の図９に示すように、第２ボックス３００の封印ブロック部３６０の左右両側に位置するカバー板部３５０には、第１ボックス２００の筒状体２５５に対応させて、筒状体２５５に挿入されたピンを通過させる穴３５１が形成されている。
カバー板部３５０の前面は第１ボックス２００の下端壁２２２との外面における重ね合わせ端縁Ｋに一致し、第１ボックス２００と第２ボックス３００を結合させた状態で、筒状体２５５の後端とカバー板部３５０の前面とは面一となり、互いに当接する。
【００９４】
可動ベース部２８の封止ブロック部１００はその前壁１０２が、基板ボックス３０を可動ベース部２８に載置した状態で、第２ボックス３００のカバー板部３５０の裏面と面で接するように設定されている。
図５に示したように、前壁１０２には、前述のように、封印ピン４００が貫通する係止孔１０４が形成されている。
【００９５】
封印ピン４００について説明する。
封印ピン４００は、図２２に示すように、筒状の第１ピン４０２と、第１ピン４０２に挿入される第２ピン４２０とからなり、いずれもＰＡ、ＰＰ、ＰＯＭ、ＰＣあるいはＡＢＳ等の樹脂製である。
図２３は第１ピン４０２を示す図である。（ａ）は正面図、（ｂ）は上面図、（ｃ）は側面図、（ｄ）は底面図、（ｅ）は背面図、そして（ｆ）は（ｂ）におけるＪ−Ｊ部断面図である。
第１ピン４０２は、第１ボックス２００の筒状体２５５の大径孔２５７に対応する径をもつ大径部４０３と、小径孔２５８に対応する径をもつ小径部４０４とからなる外形を有する。大径部４０３の長さは筒状体２５５の大径孔２５７の長さと整合している。
大径部４０３側を前、小径部４０４側を後とする。
【００９６】
第１ピン４０２の外周面には大径部４０３の前端から小径部４０４にかかるまで軸方向のキーリブ４０５が形成されている。
キーリブ４０５の長さと高さは筒状体２５５の溝２５９に対応しており、キーリブ４０５を溝２５９に合わせれば、第１ピン４０２をその前端が筒状体２５５の前端と面一になるまで押し込むことができ、キーリブ４０５と溝２５９の係止により回転方向の位置も固定される。
【００９７】
第１ピン４０２は外形形状に沿った大径孔４０９と小径孔４１０とからなる貫通孔４０８を有している。
大径孔４０９には、キーリブ４０５に対して周方向１８０°の位置に、軸方向全長にわたるスリット４１１が形成されている。
小径部４０４には、キーリブ４０５とスリット４１１をむすぶ上下方向に対して、直角の左右方向に弾性部４１３が設けられている。弾性部４１３は、小径部４０４の筒壁に形成したコ字形状のスリットに囲まれて、大径部４０３側を根元とし軸方向後方へ延びる片形状をなし、後端に外方（左右方向）へ突出する係止爪４１４を有している。
係止爪４１４は前端を軸方向に垂直な係止面４１６とし、その後部外面は小径部４０４と同軸のコーン形状をなして、先端が小径部４０４の径まで縮径する傾斜面４１５としている。
【００９８】
第１ピン４０２の前端から係止爪４１４の係止面４１６までの距離は、第１ボックス２００の筒状体２５５の長さに、可動ベース部２８における封止ブロック部１００の前壁１０２と第２ボックス３００のカバー板部３５０の板厚を加えた長さに対応し、基板ボックス３０を可動ベース部２８に載置した状態で、係止爪４１４が前壁１０２の裏面に係止するよう設定されている。
小径部４０４の後端の上下には、後述の第２ピンの係止爪と係止する切欠き４１７が設けられている。
【００９９】
図２４は第２ピン４２０を示す図である。（ａ）は正面図、（ｂ）は上面図、（ｃ）は側面図、（ｄ）は背面図、そして（ｅ）は（ｂ）におけるＬ−Ｌ部断面図である。
第２ピン４２０は、第１ピン４０２の大径孔４０９に整合する径を有する大径部４２１と、小径孔４１０に整合する径を有する小径部４２２とを有し、前端が大径部４２１の前壁で閉じられ、小径部４２２の後端に開口する筒孔４２３を備えている。
大径部４２１の長さは大径孔４０９の長さに対応し、全長にわたってスリット４１１に対応する軸方向のキーリブ４２４が形成されている。
【０１００】
小径部４２２の後端からは、後方へ弾性部４２５が延びている。弾性部４２５は後端に外方（左右方向）へ突出する係止爪４２６を有し、係止爪４２６は前端を軸方向に垂直な係止面４２８とし、その後部外面は小径部４２２と同軸のコーン形状をなして、先端が当該小径部４２２の径まで縮径する傾斜面４２７としている。
弾性部４２５は、第２ピン４２０の軸心とキーリブ４２４を通る直径線上の互いに反対側に設けられている。
係止面４２８の軸方向位置は、第２ピン４２０をその前端が第１ピン４０２の前端と面一になるまで押し込んだときに、第１ピンにおける小径部４０４の切欠き４１７の底端面に係止するように設定されている。
【０１０１】
図２５の（ａ）は、筒状体２５５に第１ピン４０２を挿入した状態を示し、（ｂ）は（ａ）におけるＭ−Ｍ部断面図、（ｃ）は第１ピン４０２への第２ピン４２０の挿入が終了した第２の封印結合状態を示し、（ｄ）は（ｃ）におけるＮ−Ｎ部断面図である。
まず、基板ボックス３０を可動ベース部２８に載置した状態で、第１ピン４０２をその先端（後端）から筒状体２５５に差し込んでいくと、第１ピン４０２の弾性部４１３が内径方向に撓んで、係止爪４１４が小径孔２５８の内径まで引っ込んだ状態で小径部４０４が小径孔２５８内に進入する。
【０１０２】
そして、係止爪４１４が筒状体２５５を抜けて第２ボックス３００のカバー板部３５０の穴３５１から封止ブロック部１００における前壁１０２の係止孔１０４を通過すると、（ａ）、（ｂ）に示すように、弾性部４１３が復元して係止爪４１４が小径部４０４外周面から張り出し、その係止面４１６が前壁１０２の裏面に係止する。
係止孔１０４は第１ピン４０２の小径部４０４をわずかな間隙をもって通過させ、係止爪４１４が前壁１０２に係止する一方、係止孔の上下の切欠き１０５は小径部４０４の外周面から張り出した係止爪４１４が通過可能となっている。ただし、第１ピン４０２がキーリブ４０５を溝２５９に合わせて筒状体２５５に挿入された状態では係止爪４１４は左右方向に張り出すので、第１ピン４０２は係止孔１０４から抜けない。
【０１０３】
つぎに、第２ピン４２０をその先端（後端）から第１ピン４０２に差し込んでいくと、第２ピン４２０の弾性部４２５が内径方向に撓んで、係止爪４２６が小径孔４１０の内径まで引っ込んだ状態で小径部４２２が小径孔４１０内に進入する。
そして、係止爪４２６が小径部後端の切欠き４１７に至ると、図２５の（ｃ）、（ｄ）に示すように、弾性部４２５が復元して係止爪４２６が小径部４２２の外周面から突出し、その係止面４２８が切欠き４１７の底端面に係止する。
【０１０４】
この結果、第１ピン４０２および第２ピン４２０の前端は筒状体２５５の前端と面一で、第１ピン４０２や第２ピン４２０を工具で掴むことができない。
基板ボックス３０側から延びた第１ピン４０２の係止爪４１４が左右に突出して封止ブロック部１００の前壁１０２の裏面に係止することにより、基板ボックス３０が可動ベース部２８に結合されるが、第１ピン４０２内に第２ピン４２０が挿入されることにより弾性部４１３は撓むことができない。
【０１０５】
また、第１ピン４０２の係止爪４１４が係止している前壁１０２の係止孔１０４は上下に係止爪４１４が通過可能な切欠き１０５を有しているが、第１ピン４０２はキーリブ４０５と溝２５９の係止により回転が規制されているので、係止爪４１４を切欠き１０５位置へ回転させることもできない。
したがって係止爪４１４が封止ブロック部の前壁１０２から外れることはなく、基板ボックス３０と可動ベース部２８の結合が解除されることはない。
【０１０６】
また、係止爪４１４を含む封印ピン４００の後端が位置する封止ブロック部１００の空間は下端のみが開口しているが、可動ベース部２８には平板部１３２を備える補強プレート１３０が設けられて封止ブロック部１００内は閉空間となっているので、当該開口からもドライバ等によって封印ピン４００に到達することはできず、基板ボックス３０と可動ベース部２８はその結合を解除することはできない封印状態となる。
また、第２ボックス３００は第１ボックス２００と可動ベース部２８の間に挟まれて離脱できないから、同時に基板ボックスも封印状態となって、第１ボックス２００と第２ボックス３００の結合も解除されない。
【０１０７】
第２封印部３６の封印を解除するには、各連結部２５４を切断して、封印部材である筒状体２５５を第１ボックス２００から切除する。
それから、その筒状体２５５を９０°回転させて、可動ベース部２８の封止ブロック部１００の前壁１０２に係止している封印ピン４００の係止爪４１４を係止孔１０４の切欠き１０５に合わせることにより、筒状体２５５を封止ブロック部１００から解放する。
これにより、基板ボックス３０を可動ベース部２８に対して上方へスライドさせ、可動ベース部から取外すことができる。
【０１０８】
切除された筒状体２５５に組み付けられていた封印ピン４００は、その第２ピン４２０の係止爪４２６を径方向内側に押し込んで第１ピン４０２との係止を外すことにより第１ピンから抜くことができ、その結果、第１ピン４０２もその係止爪４１４を径方向内側に押し込んで筒状体２５５から同様に抜くことができるので、再利用することができる。
【０１０９】
つぎに、第３封印部３８について説明する。これは、基板ボックス３０と可動ベース部２８とを封印するのに用いる封印ピン４００を流用して基板ボックスの第１ボックス２００と第２ボックス３００間を封印する。
第３封印部３８は第１ボックス２００の角孔部２５２と第２ボックス３００の封印ブロック部３６０を用いる。
筒状体２５５の前端部が上下の脆弱な連結部２５４によって角孔部２５２のそれぞれの上内壁（下端壁）と下内壁に連結されている。これにより、連結部２５４を切断することで筒状体２５５を切除できる。
筒状体２５５は、前述した第３封印部３６における角孔部２５１の筒状体と同一である。
【０１１０】
図２６は第１ボックス２００の第３封印形成部である角孔部２５２を示し、図２１の（ａ）におけるＰ−Ｐ部断面に該当する。
図２７は第２ボックス３００の第３封印形成部である封印ブロック部３６０を示す図である。（ａ）は正面図、（ｂ）は（ａ）におけるＱ−Ｑ部断面図、（ｃ）は（ａ）におけるＲ−Ｒ部断面図である。
第２ボックス３００の下端壁３２２に設けた封印ブロック部３６０は、正面図において矩形の枠形状をなし、略中央に筒状体３６５を備える。
封印ブロック部３６０は底板部３０１を下方に延長した底壁３６１を有し、筒状体３６５は底壁３６１から前方へ延びている。
封印ブロック部３６０の側壁３６２はそれぞれ両側のカバー板部３５０と連なっており、その前縁は第１ボックス２００の下端壁との外面における重ね合わせ端縁Ｋに一致する。また、封印ブロック部３６０の下壁３６３は側壁３６２よりも前方へ延びている。
【０１１１】
筒状体３６５は前端に開口し第１ピン４０２の小径部４０４と整合する径の筒孔３６６と、後端が底壁３６１で閉じられ筒孔３６６に連通する拡径部３６７とを有する。筒孔３６６の上下には開口端から拡径部３６７まで軸方向に延びて係止爪４１４が通過可能な切欠き溝３６８が形成されている。
筒状体３６５は前端が側壁３６２の前面に一致し、第１ボックス２００と第２ボックス３００を結合させた状態で、筒状体２５５の後端と筒状体３６５の前端とは面一で互いに当接するとともに、互いの軸線が整合するように設定されている。
そして、筒状体２５５の先端から筒孔３６６の拡径部３６７への開口端までの距離を、第１ピン４０２の先端からその係止爪４１４の係止面４１６までの距離に対応させてある。
【０１１２】
この状態で、前述のように第１ピン４０２をその前端が筒状体２５５の前端と面一になるまで挿入すると、その係止爪４１４が筒状体３６５における筒孔３６６の拡径部３６７への開口端面に係止する。
それから、第１ピン４０２に第２ピン４２０をその前端が筒状体２５５ならびに第１ピン４０２の前端と面一になるまで挿入すると、第２ピン４２０の係止爪４２６が第１ピン４０２の小径部４０４の切欠き４１７に突出して、その係止面４２８が切欠き４１７の底端面に係止して、第３の封印結合構造が形成される。図２８はこの状態を示す。図２８の（ａ）は図２５の（ｃ）に相当する図、（ｂ）は（ａ）におけるＳ−Ｓ部断面図である。
【０１１３】
これにより、第２ピン４２０は第１ピン４０２から抜けず、第１ピン４０２は筒状体３６５から抜けず、第１ピン４０２と第２ピン４２０からなる封印ピン４００が第１ボックス２００と第２ボックス３００間の合わせ面を横切る状態に保持されるので、第１ボックス２００と第２ボックス３００が互いにスライドするのを阻止する。
【０１１４】
係止爪４１４、４２６は筒状体３６５内に位置しているので、外部からアクセスして破壊することはできない。
また、封印ブロック部３６０は底壁３６１のほか側壁３６２および下壁３６３を有して筒状体３６５を囲み、下壁３６３は第１ボックス２００の下まで延びて、角孔部２５２の下壁に重なっているので、外部から筒状体３６５にアクセスすることもできないし、封印ピン４００が横切っている第１ボックス２００と第２ボックス３００の合わせ目に下方からドライバやナイフ等を差し込んで封印ピン４００を切断することもできない。
【０１１５】
以上説明した複数の封印部の利用順序の一例を次に示す。
まず、スロットマシンの製造時において、主基板２３が基板ボックス３０内に収容されて主制御装置２２が組み立てられると、左端の第１封印部３４（Ａ）により第１ボックス２００と第２ボックス３００の結合が封印される。
続いてこの主制御装置２２が台座装置２５に装着されると、基板ボックス３０の平面部２０７と可動ベース部２８の固定ブラケット部１１８の両者にまたがって封印シールを貼付して、その装着状態が封印される。
そして、基板ボックス３０の貼付枠２０２に貼付された封印履歴記録シートには、第１封印部３４を封印した日時及び封印した者の氏名が記載されるように定められている。他の第２封印部を封印した場合も同様である。
したがって、封印履歴記録シートの記載内容と、封印部の切除の形跡を見比べることで、主制御装置２２の不正な分解がなされていないかを容易に判断することができる。
【０１１６】
主制御装置２２の不具合発生や検査等により、主基板２３を基板ボックス３０から取り外す場合、毎回、先ずは封印シールを剥がして基板ボックス３０を可動ベース部２８に対して上方へスライドさせることにより、主制御装置２２が台座装置２５から取り外される。
第１回目は、封印済みの第１封印部３４の封印が解かれて主基板２３が基板ボックス３０から取り外される。
主基板２３の修理や点検等が終了すると、主基板２３が基板ボックス３０内に収容されて主制御装置２２が再組立てされる。
【０１１７】
再封印においては、基板ボックス３０左端の第１封印部３４は連結部２２８あるいは連結部３２９が切除されており使用できないから、今度は隣接する第２封印部３６（Ｂ）を封印する。ここでは、正規の管理者が新たに準備した封印ピン４００を、第１ボックス２００の筒状体２５５の貫通孔２５６から第２ボックス３００のカバー板部３５０の穴３５１を通して可動ベース部２８における封止ブロック部１００の係止孔１０４に挿し込んで、基板ボックス３０と可動ベース部２８の結合を封印する。この場合、第１ボックス２００と第２ボックス３００間も同時に封印されている状態となる。
【０１１８】
以下、検査ごとに封印を解除することになるが、２回目の検査後の封印は封印を解除した第２封印部３６（Ｂ）に隣接する次の第２封印部（Ｃ）において行う。封印に用いる封印ピン４００は封印を解除した第２封印部（Ｂ）から取り外したものを再利用する。
この後の検査完了後も第２封印部３６の（Ｄ）、（Ｅ）を順次同様に封印していく。
第２封印部３６（Ｅ）の封印を解除して検査の後は、第３封印部３８を封印する。
第３封印部３８は基板ボックス３０のみで第１ボックス２００と第２ボックス３００の結合を封印するものである。
この後主基板２３の検査等が必要になった場合には、再封印可能な封印部は残っていないので、第３封印部で封印状態のまま主基板２３を基板ボックス３０ごとメーカーへ返送すればよい。
【０１１９】
本実施例は以上のように構成され、第１ボックス２００および第２ボックス３００にそれぞれ接続して両ボックスの結合位置においてそれぞれ連結係止部としての爪２４０と爪３４０の係止により互いに連結するアッパブラケット２３０およびロアブラケット３３０と、第１ボックス２００と第２ボックス３００の結合状態においてアッパブラケット２３０およびロアブラケット３３０をカバーする封印キャップ５００とを有し、
封印キャップ５００には、キャッチャ５２３を有する遊動プレート５２０を備え、アッパブラケット２３０には爪２４２を備え、第１ボックス２００と第２ボックス３００の結合途中において封印キャップ５００をアッパブラケット２３０およびロアブラケット３３０に被せたあと、第１ボックス２００と第２ボックス３００の結合完了位置までの間に遊動プレート５２０のキャッチャ５２３が爪２４２により抜け阻止される封印構造を形成した。
より具体的には、アッパブラケット２３０とロアブラケット３３０の間に、第１ボックス２００と第２ボックス３００の結合途中における爪２４２の移動経路上に遊動プレート５２０のキャッチャ５２３が進入可能な空間Ｓ１が形成されるようにして、結合途中に空間Ｓ１に進入したキャッチャ５２３がその後の爪２４２の移動により、当該爪と係止して空間Ｓ１から離脱不可となるようにするので、封印キャップ５００が取外し不能となる。
【０１２０】
これにより、第１ボックス２００と第２ボックス３００が結合したあとでは、封印キャップ５００が取外しできない状態となるので、第１ボックス２００側のアッパブラケット２３０および第２ボックス３００側のロアブラケット３３０が互いに係止している爪２４０、３４０部分へのアクセスが阻止され、係止の解除もできないので、第１ボックス２００と第２ボックス３００の結合を不正に解除することができない。
【０１２１】
空間Ｓ１に進入したキャッチャ５２３と爪２４２の係止態様として、キャッチャ５２３は本体プレート部５２０ａから封印キャップ５００内方へ延びた縦壁５２４に矩形穴５２５を設けて構成し、この矩形穴５２５を爪２４２が貫通するものとしたので、封印キャップ５００の取外しが確実に阻止される。
【０１２２】
また、遊動プレート５２０は封印キャップ５００の本体部に対して変位可能であり、遊動プレート５２０のキャッチャ５２３が空間Ｓ１に進入する過程でアッパブラケット２３０やロアブラケット３３０にキャッチャ５２３と干渉する部位があってもそれを回避してキャッチャ５２３を空間Ｓ１に位置させることができるから、封印構造の設計の自由度が向上する。
実施例ではとくに、キャッチャ５２３とロアブラケット３３０との干渉部位は互いに滑り可能に構成されて、遊動プレート５２０の姿勢変化でキャッチャ５２３が干渉部位を乗り越えるようにしている。すなわち、キャッチャ５２３の縦壁５２４の側縁からは傾斜した端縁をもつフランジ５２７が延びており、フランジ５２７の端縁がロアブラケット３３０の先端部分を滑りながら姿勢変化するから、遊動プレート５２０を手で変位させなくても容易にキャッチャ５２３を空間Ｓ１に位置させることができる。
【０１２３】
第１ボックス２００と第２ボックス３００は互いにスライド方向に移動させて結合し、封印キャップ５００はスライド方向からアッパブラケット２３０およびロアブラケット３３０に被せる構成としているので、封印キャップ５００内におけるアッパブラケット２３０およびロアブラケット３３０との間隙を小さくすることが可能で、コンパクトでガタのない封印構造が得られる。
また、空間Ｓ１はロアブラケット３３０に区画されているので、空間Ｓ１に位置したキャッチャ５２３はロアブラケット３３０に保持され、したがって封印キャップ５００が保持されるため、その後の第１ボックス２００と第２ボックス３００の結合作業が容易となる。
【０１２４】
第１ボックス２００と第２ボックス３００を結合した後には、封印キャップ５００の遊動プレート５２０を配置したプレート保持穴５１８に硬化樹脂が充填され、しかも遊動プレート５２０を封印キャップ内方に沈ませてその充填空間が増大するので、封印構造がさらに強固に保持される。
そして、遊動プレート５２０は弾性をもった支持片５２８を介して支持され、爪２４２と遊動プレートにおける縦壁５２４の矩形穴５２５とに設けた傾斜面２４２ｂ、５２６の案内で変位するので、封印キャップ装着の際に自動的に沈む。
支持片５２８はプレート保持穴５１８の内周縁にそって配され、一端はプレート保持穴５１８の内周縁に、他端は本体プレート部５２０ａに接続しているので細長い形状となりとくに弾性変形しやすい。
なお、硬化樹脂の充填により封印キャップ５００本体および遊動プレート５２０と一体の接着状態となるので、封印状態において支持片５２８が折損するなどのおそれはない。
【０１２５】
そして、本体プレート部５２０ａにはスリット５２１や切欠き５２２により脆弱部が形成されているので、充填された硬化樹脂を削り取るなどの不正が行われたときは脆弱部も同時に損傷を受けて確実に痕跡が残る。
また、プレート保持穴５１８はその基本形状を円形としているので、充填される硬化樹脂は均一に隅々まで行き渡る。
【０１２６】
第１ボックス２００とアッパブラケット２３０は連結部２２８で接続し、第２ボックス３００とロアブラケット３３０は連結部３２８、３２９で接続しているので、これらを適宜切断することにより第１ボックス２００と第２ボックス３００の結合を容易に解除可能であるが、切断した痕が残るので、不正に解除した場合にはその発見が容易である。
【０１２７】
なお、封印キャップ５００は、ブラケットカバー部５１０に接続して連結部２２８、３２８、３２９をカバーする連結部カバー部５０１を備えているので、連結部が直接外力を受けて偶発的に破損するおそれはない。
連結部カバー部５０１はブラケットカバー部５１０と一体に１部品の封印キャップ５００として形成してあるので、部品点数が少なくて済む。
【０１２８】
また、第１ボックス２００と第２ボックス３００の結合状態において、連結部カバー部５０１がその開口周縁をカバー堤２２６、３２４で囲まれて    第１ボックス２００および第２ボックス３００と係止するようになっているので、封印キャップ５００はブラケットカバー部５１０が被さったアッパブラケット２３０およびロアブラケット３３０に保持されるに加えて、連結部カバー部５０１の開口端側でもカバー堤２２６、３２４の内側に嵌まり込んで保持され、ぐらつきのない取付け状態に維持される。
同じく、連結部カバー部５０１の開口部がカバー堤２２６、３２４で囲まれていることによって、基板ボックス３０の下端壁２２２、３２２と連結部カバー部５０１の隙間からカッターなどで連結部２２８、３２８、３２９を切断するような不正行為も防止される。
【０１２９】
さらに、ブラケットカバー部５１０と連結部カバー部５０１は切断可能なリブ５０８で接続されるとともに、連結部カバー部５０１の内壁はブラケットカバー部５１０の外壁より大きく、かつ断面形状が整合しているので、リブ５０８を切断する前はブラケットカバー部５１０と連結部カバー部５０１の隙間から連結部２２８等に不正にアクセスすることが困難である一方、第１ボックス２００と第２ボックス３００の結合を正規に解除する場合には、リブ５０８を切断して連結部カバー部５０１をブラケットカバー部５１０から分離し、ブラケットカバー部５１０の外側をスライドして取外すことにより、簡単に連結部２２８あるいは３２８、３２９にアクセスすることができる。
【０１３０】
なお、上記実施例の第１封印部では、遊動プレート５２０を抑えて封印キャップ５００の取外しを阻止するため、遊動プレート５２０に設けられたキャッチャ５２３の矩形穴５２５を有する縦壁５２４を受容空間である空間Ｓ１に進入させ、アッパブラケット２３０の爪２４２が矩形穴５２５を貫通することによりキャッチャ５２３を空間Ｓ１から抜けないようにしたが、空間Ｓ１から抜けないようにする手段としてはこれに限定されない。
【０１３１】
例えば、図２９は第１封印部の変形例を示すもので、（ａ）は封印キャップの断面図、（ｂ）はアッパブラケットの一部破断側面図、（ｃ）は第１ボックスと第２ボックスとの結合位置における封印状態を示す断面図である。
封印キャップ５００’の遊動プレート５２０’がキャッチャ５２３の代わりにキャッチャ５２３’を備える。キャッチャ５２３’は、縦壁５２４’の先端に根元側へ延びる拡大頭部５３０を有している。
一方、アッパブラケット２３０’は、連結部２２８が主板２３１から突出する先端に、爪２４２の代わりに係止突起２４５を備える。とくに図示はしないが、ロアブラケット３３０の空間Ｓ１も係止突起２４５が進入可能なサイズに設定される。
係止突起２４５は、とくに（ｃ）に示すように、第１ボックス２００を第２ボックス３００との結合位置へスライドさせたときに、キャッチャ５２３’の拡大頭部５３０の裏面（抜け側）に係止する。
これによっても、空間Ｓ１に進入させたキャッチャ５２３’は第１ボックスと第２ボックスの結合状態においてその拡大頭部５３０が係止突起２４５に阻まれて、空間Ｓ１から抜けることができない。
【０１３２】
なお、係止突起２４５の拡大頭部５３０と係止する下面の高さ位置を自由状態における拡大頭部５３０の裏面よりも低く設定することにより、図１９の（ｃ）に示されるように、上記実施例と同じく第１ボックス２００と第２ボックス３００の結合状態において遊動プレート５２０’を封印キャップ５００’の内方へ沈ませることができる。この場合、ロアブラケット３３０に対するアッパブラケット２３０’のスライドの間に拡大頭部５３０を滑らかに押下げるように、係止突起２４５の拡大頭部５３０と係止する面には傾斜面２４６を設けてあるが、拡大頭部５３０の方に傾斜面を設けてもよい。
【実施例２】
【０１３３】
つぎに、第２の実施例について説明する。
上述した第１の実施例における基板ボックス３０は、第１ボックス２００と第２ボックス３００を上下にずらせた位置で重ね合わせた状態から最後にスライドさせて結合状態にするものとし、そのスライド途中で取り付けた封印キャップ５００により封印されるものとしたが、基板ボックスの組立要領としてはその他、第１ボックスと第２ボックスを真正面からスライドなしに重ねる方法や、先に連結している一端側をヒンジにして他端側を開口状態から閉じて結合する方法もあり、このような場合にも封印キャップによる封印が可能である。
第２の実施例は、結合する過程にスライドを含まない基板ボックスに封印キャップを適用するものである。
ここでは、封印キャップを用いた封印部構造のみを説明するため、基板ボックスは概念化した簡単構造で示す。
【０１３４】
図３０は第２の実施例にかかる基板ボックスの外観を示し、（ａ）は前上方から見た斜視図、（ｂ）は後上方から見た斜視図である。
基板ボックス３０Ａは表裏一対の第１ボックス２００Ａと第２ボックス３００Ａによって構成される。ここでは第１ボックス２００Ａを上側とし、第２ボックス３００Ａを下側とする。
第１ボックス２００Ａと第２ボックス３００Ａはそれぞれ平面形の基本形状が矩形をなし、樹脂で形成されている。
第１ボックス２００Ａの裏面側に制御基板を取り付けたうえで、第１ボックス２００Ａと第２ボックス３００Ａを上下に重ね合わせて結合することにより、基板ボックス３０Ａ内部に制御基板が収容される。第１ボックス２００Ａの上壁には制御基板上の外部接続用ソケットを挿通させるためのソケット挿通孔２０３が形成されている。なお、制御基板は図示省略している。
【０１３５】
図３１の（ａ）は基板ボックス３０Ａの平面図であり、（ｂ）は（ａ）におけるＡＡ−ＡＡ部断面図、（ｃ）は（ａ）におけるＡＢ−ＡＢ部断面図、（ｄ）は（ａ）におけるＡＣ−ＡＣ部断面図である。（ａ）における左方を前方、右方を後方とする。
前部においては（ｂ）に示すように、第１ボックス２００Ａの前端壁２７２の端縁と第２ボックス３００Ａの前端壁３７２の端縁とが互いに当接して重ね合わせ面となっており、第１ボックス２００Ａの前端壁２７２の内面からは第２ボックス３００Ａの前端壁３７２の内面に重なる所定サイズのバック壁２７５が下方に延びている。
【０１３６】
側部においては（ｃ）に示すように、第１ボックス２００Ａの側壁２７３はバック壁２７５と同じ高さまで下方に延ばした上、その端縁に前後方向に延びる溝２７６を形成してある。
そして、第２ボックス３００Ａの側壁３７３はその外面側を前端壁３７２の端縁からバック壁２７５の高さに対応する深さまで切り欠いて、第１ボックス２００Ａの溝２７６に進入可能な嵌合壁３７５を内面側に残した段差部とし、段差部の底面を第１ボックス２００Ａの側壁２７３との重ね合わせ面としている。
【０１３７】
基板ボックス３０Ａの後部においては（ｄ）に示すように、第１ボックス２００Ａの後端壁２７４は側壁２７３の端縁と同じ高さの端縁から外方に引掛け部２７７が突出している。
引掛け部２７７から所定間隙を置いた上部からも堤部２７８が引掛け部２７７と平行に外方に突出しており、堤部２７８の方が引掛け部２７７よりも突出長さが大きい。後端壁２７４の上端と堤部２７８との間には適宜間隔で補強用のフランジ２７９が設けられている。
第２ボックス３００Ａの後端壁３７４は、その外面が第１ボックス２００Ａの堤部２７８の外方端面と面一となっており、上端には堤部２７８の下面にそって内方へ引掛け部３７７が突出している。
引掛け部３７７から所定間隙を置いた下方からは第１ボックス２００Ａの端縁（および引掛け部２７７）を受ける受け壁３７８が延びている。
【０１３８】
こうして、第１ボックス２００Ａの引掛け部２７７は第２ボックス３００Ａの引掛け部３７７と受け壁３７８の間のスリットに進入し、第２ボックス３００Ａの引掛け部３７７は第１ボックス２００Ａの引掛け部２７７と堤部２７８の間のスリットに進入して、引掛け部同士が係止することにより第１ボックス２００Ａと第２ボックス３００Ａが結合状態を保持する。
【０１３９】
組み付けに当っては、まず第２ボックス３００Ａに対して第１ボックス２００Ａの前端壁２７２側をわずかに持ち上げた斜め姿勢で、第１ボックス２００Ａの側壁２７３の溝２７６に第２ボックス３００Ａの嵌合壁３７５を嵌め込みながら、後端壁２７４の引掛け部２７７を第２ボックス３００Ａの引掛け部３７７と受け壁３７８の間のスリット開口に位置決めする。
そして、第１ボックス２００Ａを第２ボックス３００Ａに対して相対的に後方へ押しながら第１ボックス２００Ａの前端壁２７２側を下方に押下げると、引掛け部２７７、３７７同士が係止するとともに、第１ボックスの前端壁２７２の端縁と第２ボックスの前端壁３７２の端縁とが重ね合わされる。
【０１４０】
この結合状態において、前端壁２７２、３７２の重ね合わせ面Ｋは内面側においてバック壁２７５が横切っている。また、側壁２７３、３７３においては第２ボックスの嵌合壁３７５が重ね合わせ面を横切っており、後部では第１ボックス２００Ａの堤部２７８と第２ボックス３００Ａの引掛け部３７７の合わせ面の内面側で第１ボックスの後端壁２７４が横切っているので、重ね合わせ面の隙間のどこからも基板ボックス３０Ａ内部へのアクセスすることはできない。
そして、第１ボックス２００Ａと第２ボックス３００Ａの各前端壁２７２、３７２にはそれぞれ後述する封印形成部２８０、３８０が設けてあり、これらに被せられた封印キャップ５５０が、当該封印形成部２８０、３８０によって抜け止めされることにより、第１ボックス２００Ａと第２ボックス３００Ａの結合状態が封印される。
【０１４１】
以下、封印構造の詳細について説明する。
図３２は第１ボックスの封印形成部を示し、（ａ）は前方から見た斜視図、（ｂ）は平面図、（ｃ）は正面図、（ｄ）は（ｂ）におけるＡＤ−ＡＤ矢視図、（ｅ）は（ｂ）におけるＡＥ−ＡＥ部断面図である。
第１ボックス２００Ａの前端壁２７２には、第１係止部２８１と係止板２８５とからなる封印形成部２８０が形成されている。
第１係止部２８１は、とくに（ｄ）に示すように、前端壁２７２から前方へ垂直に立ち上がった脚部２８２と、その先端（前端）から前端壁２７２と平行に下方（第２ボックス３００Ａ側）へ延びる係止ロッド２８３とからなっている。脚部２８２と係止ロッド２８３はいずれも４角断面である。脚部２８２の下面は前端壁２７２の端縁と面一になっている。
【０１４２】
係止板２８５は、第１係止部２８１との間に所定の間隙をおいて前端壁２７２から立ち上がっており、先端側に矩形の係止穴２８６を有している。係止板２８５の下面は前端壁２７２に対して垂直で、前端壁２７２の端縁と面一になっている。
ここで、上記所定の間隙は後述する第２ボックス３００Ａにおける第２係止部３８１の係止ロッドが進入可能な大きさとしてある。
前端壁２７２にはさらに、後述する封印状態において前端壁２７２に当接する封印キャップ５５０の筒部開口端の上半部を囲むカバー堤２２６が形成されている。
【０１４３】
図３３は第２ボックス３００Ａの封印形成部を示し、（ａ）は前方から見た斜視図、（ｂ）は平面図、（ｃ）は正面図、（ｄ）は（ｂ）におけるＡＦ−ＡＦ矢視図、（ｅ）は（ｂ）におけるＡＧ−ＡＧ部断面図である。
第２ボックス３００Ａの前端壁３７２には、第２係止部３８１とフック部３８５とからなる封印形成部３８０が形成されている。
第２係止部３８１は、とくに（ｄ）に示すように、前端壁３７２から前方へ垂直に立ち上がった脚部３８２と、その先端（前端）から前端壁３７２と平行に上方（第１ボックス２００Ａ側）へ延びる係止ロッド３８３とからなっており、係止ロッド３８３の向きを除いて第１係止部２８１と同形状、同サイズである。脚部３８２の上面は前端壁３７２の端縁（重ね合わせ面Ｋ）と面一になっている。
【０１４４】
フック部３８５は、第２係止部３８１に隣接して前端壁３７２から立ち上がった脚部３８６と、その先端から上方に延びて先端に爪３８８を備える弾性片３８７とからなっている。脚部３８６の上面も前端壁３７２に対して垂直で、前端壁の端縁と面一になっている。
爪３８８は弾性片３８７の前面（前端壁３７２に対して反対）側に係止面３８９を有し、係止面３８９から上方を傾斜面３９０として先尖りとなっている。
弾性片３８７の爪３８８は第１ボックス２００Ａの係止板２８５の係止穴２８６に進入可能に対応させてあり、係止可能となっている。
また、脚部３８６の上面から爪３８８の係止面３８９までの距離は係止板２８５の板厚に対応させてある。
【０１４５】
第１係止部２８１の脚部２８２と第２係止部３８１の脚部３８２の長さは同等で、それぞれの係止ロッド２８３、３８３の前端壁２７２、３７２と対向する後面はこれらの前端壁から同一距離Ｌ３となっている。
係止ロッド２８３の脚部２８２下面からの長さＬ２は、脚部３８２の上下方向幅に所定長さを加えた値に設定してあり、同様に係止ロッド３８３の長さＬ２も、脚部２８２の上下方向幅に所定長さを加えた値に設定してある。脚部の高さも加えた係止ロッドの長さも両者同一のＬ１となっている。
前端壁３７２にはさらに、後述する封印状態において前端壁３７２に当接する封印キャップ５５０の筒部開口端の下半部を囲むカバー堤３２４が形成されている。
【０１４６】
図３４は封印キャップを示し、（ａ）は後方から見た斜視図、（ｂ）は平面図、（ｃ）は背面図、（ｄ）は（ｃ）におけるＡＨ−ＡＨ部断面図である。
封印キャップ５５０は、略正方形断面で延びる筒部５５１と、筒部５５１の上端に接続して内部空間が連通する頭部５５５とからなる。
頭部５５５は天壁５５６が閉じ、筒部５５１の下端は開口している。
頭部５５５の対向する一対の側壁５５７（５５７ａ、５５７ｂ）は筒部５５１の一対の側壁５５２（５５２ａ、５５２ｂ）から外方へオフセットしており、底壁５５８が頭部５５５の側壁５５７と筒部５５１の側壁５５２をつないでいる。
頭部５５５の他の一対の側壁は筒部５５１の他の一対の側壁５５３（５５３ａ、５５３ｂ）を面一に延ばしたものである。
【０１４７】
筒部５５１における一対の対向側壁５５３ａ、５５３ｂ間の距離Ｗ１は、第１ボックス２００Ａの第１係止部２８１と係止板２８５の間に第２ボックス３００Ａの第２係止部３８１の係止ロッド３８３を進入させた状態での両ボックスの封印形成部２８０、３８０を通過させかつ収容可能なサイズに設定されており、ここでは第１ボックス２００Ａの第１係止部２８１と係止板２８５とが通過可能であればこの条件を満たす。
筒部５５１の他の１対の対向側壁５５２ａ、５５２ｂ間の距離Ｗ２は、係止ロッド２８３（３８３）の長さＬ１にわずかな余裕をもたせた値に設定してある。
【０１４８】
頭部５５５と筒部５５１を結び、筒部５５１の中心を通る線を軸として、筒部５５１の軸方向高さＨ（筒部の先端から底壁５５８における頭部５５５の内部空間への開口までの長さ）は、第１係止部２８１および第２係止部３８１それぞれの係止ロッド係止ロッド２８３、３８３の後面と前端壁２７２、３７２間の距離Ｌ３に対応している。
頭部５５５の内部空間の高さ、すなわち底壁５５８から天壁５５６までの軸方向高さは、第１係止部２８１および第２係止部３８１それぞれの係止ロッド２８３、３８３の前後方向幅を収容可能なサイズにしてある。
【０１４９】
封印手順は以下のとおりである。
まず、第１ボックス２００Ａを第２ボックス３００Ａに対して傾斜させた状態で引掛け部２７７を第２ボックスの引掛け部３７７と係止させて両ボックスの後端を連結する。
つぎに、第１ボックス２００Ａを回動させて、封印形成部２８０における第１係止部２８１と係止板２８５の間に、第２ボックス３００Ａの封印形成部３８０における第２係止部３８１の係止ロッド３８３を位置させて組み合わせ、図３５の（ａ）に示すように、係止ロッド３８３の先端（上端）が第１係止部２８１の脚部２８２の上面と面一になるように前端壁２７２と３７２を接近させる。
なお、この状態での傾斜角度は小さいため、（ａ）に示すように、両ボックスの前端壁２７２と３７２は互いにほぼ垂直方向に対向接近する。
この封印形成部２８０、３８０の組み合わせ形態では、第１係止部２８１の係止ロッド２８３の先端（下端）も第２係止部３８１の脚部３８２の下面と面一になる。
なお、図３５の（ａ）において封印キャップ５５０を除く封印形成部のうち、左側は図３２におけるＡＤ−ＡＤ矢視相当、右側は図３２におけるＡＥ−ＡＥ部断面相当図である。図３５の（ｂ）、（ｃ）においても同様である。
【０１５０】
これにより、他の係止板２８５やフック部３８５を含めて両ボックス２００Ａ、３００Ａの封印形成部２８０、３８０を包絡する輪郭がその係止ロッド２８３（３８３）の長さＬ１の範囲内に収まり、係止ロッドの延び方向に頭部５５５の長手方向を合わせて、封印キャップ５５０の筒部５５１内を通過可能となる。
そこで、図３５の（ｂ）のように、封印キャップ５５０を頭部の長手方向を上下にして筒部５５１の開口から封印形成部２８０、３８０に被せ、筒部５５１の先端を前端壁２７２、３７２に当接させる。係止ロッド２８３、３８３は頭部５５５内に位置することになる。
【０１５１】
それから、第１ボックス２００Ａを押し下げて第２ボックス３００Ａに重ね合わせると組み合わせ形態が変化し、図３５の（ｃ）に示すように、第２係止部３８１の係止ロッド３８３が相対的に第１ボックス２００Ａ側へさらに突出し、第１係止部２８１の係止ロッド２８３も第２ボックス３００Ａ側へ突出する。図３６は封印形成部２８０、３８０が組み合わさったこの状態を封印キャップ５５０を除去して示す斜視図である。
突出した係止ロッド２８３、３８３は、それぞれ封印キャップ５５０の頭部５５５内でその底壁５５８に係止する。
【０１５２】
なお、頭部５５５の側壁５５７ａ、５５７ｂ間の距離はＬ１＋Ｌ２よりわずかに大きく設定されて、上下方向に突出した係止ロッド２８３、３８３の一方の先端に一方の側壁が当接するまで封印キャップ５５０を変位させたときにも他方の係止ロッドが底壁５５８から外れることがないようにしてある。
同時にフック部３８５の爪３８８が係止穴２８６を貫通して係止板２８５に係止して第１ボックス２００Ａと第２ボックス３００Ａが結合状態となる。
また、前端壁２７２、３７２に形成されたカバー堤２２６、３２４が筒部５５１の先端に近接してその外周を囲む。
【０１５３】
以上により、封印形成部２８０、３８０はすべて封印キャップ５５０内に収容された状態となる。
第１ボックス２００Ａと第２ボックス３００Ａを分離するためには爪３８８と係止板２８５の係止を外さなければならないが、当該係止部にアクセスするには封印キャップ５５０を外さなければならない。しかし、係止ロッド２８３、３８３が封印キャップの頭部５５５の底壁５５９に係止しているので封印キャップを抜き出すことも不可能であり、これにより第１ボックス２００Ａと第２ボックス３００Ａの結合が封印されたこととなる。
【０１５４】
封印を解除するためには、封印キャップ５５０を破断して封印形成部２８０、３８０を露出させたあと、フック部３８５の爪３８８と係止板２８５の係止を外す。これにより、第１ボックス２００Ａと第２ボックス３００Ａの各前端壁２７２、３７２を引き離し、基板ボックス３０Ａを開くことができる。
したがって封印を解除すれば、破断した封印キャップ５５０が使用できなくなるので、基板ボックス３０Ａの不正な開放が防止される。
【０１５５】
第２の実施例は以上のように構成され、第１ボックス２００Ａおよび第２ボックス３００Ａにそれぞれ接続して両ボックスの結合位置において互いに連結する封印形成部２８０および３８０と、第１ボックス２００Ａと第２ボックス３００Ａの結合状態において封印形成部２８０および封印形成部３８０をカバーする封印キャップ５５０とを有し、
封印キャップ５５０は頭部５５５とその底壁５５８に開口する筒部５５１とからなり、
封印形成部２８０には第１係止部２８１を含み、封印形成部３８０には第２係止部３８１を含み、
第１ボックス２００Ａと第２ボックス３００Ａの結合途中において封印キャップ５５０を封印形成部２８０および３８０に被せたあと、第１ボックス２００Ａと第２ボックス３００Ａの結合完了位置までの間に第１係止部２８１と第２係止部３８１が封印キャップ５５０の底壁５５８に係止する封印構造を形成した。
より具体的には、封印形成部２８０と３８０が第１ボックス２００Ａと第２ボックス３００Ａの結合途中においてそれらを組み合わせた形態の輪郭が封印キャップ５５０を通過可能なものとなることにより封印キャップ５５０を被せ可能となり、第１ボックス２００Ａと第２ボックス３００Ａの結合完了位置までの間に封印形成部２８０と３８０の組み合わせの形態が変化してその第１係止部２８１と第２係止部３８１が封印キャップ５５０の底壁５５８と係止し、封印キャップ５５０が第１封印形成部２８０および３８０から抜けなくなるので、取外し不能となる。
【０１５６】
これにより、第１ボックス２００Ａと第２ボックス３００Ａが結合したあとでは、封印キャップ５５０が取外しできない状態となるので、封印形成部２８０および３８０が互いに連結している部分へのアクセスが阻止され、その解除もできないので、第１ボックス２００Ａと第２ボックス３００Ａの結合を不正に解除することができない。
また、封印キャップ５５０の底壁５５８がそのまま第１係止部２８１や第２係止部３８１と係止する相手部材（封印連結部）として機能するので、別個の構成を設ける必要がない。
【０１５７】
とくに、第１ボックス２００Ａと第２ボックス３００Ａは封印形成部２８０と３８０を対向方向に移動させて結合するものであり、封印キャップ５５０はこの対向方向を横切る方向から封印形成部２８０および３８０に被せるものとしているので、それぞれ第１ボックス２００Ａと第２ボックス３００Ａに接続した封印形成部２８０と３８０の組み合わせの形態を直接的に変化させることができ、構成が簡単である。
【０１５８】
すなわち、第１ボックス２００Ａの封印形成部２８０における第１係止部２８１の係止ロッド２８３は第２ボックス３００Ａ側へ延び、第２ボックス３００Ａの封印形成部３８０における第２係止部３８１の係止ロッド３８３は第１ボックス２００Ａ側へ延びており、組み合わせた輪郭が封印キャップ５５０を通過可能な結合途中で封印形成部２８０および３８０がすべて封印キャップ５５０内に収容される一方、第１ボックス２００Ａと第２ボックス３００Ａの結合状態において係止ロッド２８３、３８３が張り出して封印キャップ５５０の底壁５５８と係止する。
また、結合状態においては封印形成部２８０および３８０が封印キャップ５５０内にあるので、これらを不正に切断などして底壁５５８との係止を解除することもできない。
【０１５９】
封印形成部２８０は係止板２８５を備え、封印形成部３８０はフック部３８５を備えて、封印形成部２８０と３８０はこれらフック部３８５と係止板２８５が互いに係止することにより第１ボックス２００Ａと第２ボックス３００Ａの結合位置において連結するようになっているが、封印形成部２８０における第１係止部２８１と係止板２８５は互いに独立して設けられ、封印形成部３８０における第２係止部３８１とフック部３８５も互いに独立して設けられているので、封印キャップ５５０を強引に取り外そうとする外力が作用して第１係止部２８１や第２係止部３８１撓んだりしても、その影響はフック部３８５や係止板２８５には及ばず、連動変形し互いの係止が外れてしまうおそれはない。
【０１６０】
なお、本実施例でも封印形成部２８０、３８０が接続する第１ボックス２００Ａと第２ボックス３００Ａの前端壁２７２、３７２にカバー堤２２６、３２４を形成して封印キャップ５５０の筒部５５１先端の外周を囲むものとしているが、カバー堤を設けないで前端壁を平坦なものとし、筒部５５１の先端を単純に平坦面に当接させるだけとすることもできる。この場合には、筒部と前端壁の隙間からナイフ等で封印形成部２８０または３８０を切断することにより封印を解除することが可能で、第１ボックス２００Ａまたは第２ボックス３００Ａにその痕跡が残ることになり、封印キャップ５５０は無傷で再使用できる。
しかし、前端壁２７２、３７２にカバー堤２２６、３２４を設ける方が、隙間から封印形成部２８０または３８０を切断することもできないから、不正解除防止の点から、より好ましい。この場合、解除のためには前述のように封印キャップ５５０を破壊するしかない。
【０１６１】
つぎに、第２の実施例の変形例について説明する。これは、封印形成部における係止部材と係止板、および係止部材とフック部をそれぞれ一体の兼用構造としたものである。
図３７は第１ボックスの封印形成部を示し、（ａ）は前方から見た斜視図、（ｂ）は平面図、（ｃ）は正面図、（ｄ）は（ｂ）におけるＡＪ−ＡＪ矢視図である。
第１ボックス２００Ａの前端壁２７２には、封印形成部２８０Ｂが形成されている。
封印形成部２８０Ｂは、とくに（ｄ）に示すように、前端壁２７２から前方へ垂直に立ち上がった脚部２８２と、その先端（前端）から前端壁２７２と平行に下方（第２ボックス３００Ａ側）へ延びる係止ロッド２８３Ｂとからなっている。脚部２８２は４角断面であり、その下面は前端壁２７２の端縁と面一になっている。
【０１６２】
脚部２８２の長さは任意であり、ここでは前端壁２７２から係止ロッド２８３Ｂの前端壁３７２（および前端壁２７２）に対向する後面までの距離Ｌ３ｂは第２の実施例における前端壁２７２から係止ロッド２８３の後面までの距離よりも大きくなっている。
係止ロッド２８３Ｂは脚部２８２よりも薄板状とされて弾性をもたせてある。
係止ロッド２８３Ｂの中間には前面（前端壁３７２に対して反対）側に爪２８７が設けてあり、係止面２８８から下方に傾斜面２８９を有している。
【０１６３】
図３８は第２ボックスの封印形成部を示し、（ａ）は前方から見た斜視図、（ｂ）は平面図、（ｃ）は正面図、（ｄ）は（ｂ）におけるＡＫ−ＡＫ矢視図、（ｅ）は（ｂ）におけるＡＬ−ＡＬ部断面図である。
第２ボックス３００Ａの前端壁３７２には、封印形成部３８０Ｂが形成されている。
封印形成部３８０Ｂは、（ｄ）に示すように、前端壁３７２から前方へ垂直に立ち上がった脚部３８２Ｂと、その先端（前端）から前端壁３７２と平行に上方（第１ボックス２００Ａ側）へ延びる係止ロッド３８３とからなっている。脚部３８２Ｂの上面は前端壁３７２の端縁と面一になっている。
とくに（ｂ）に示すように、脚部３８２Ｂは矩形の係止穴３９２を備えて門型の平面形状を有する。係止ロッド３８３は脚部３８２Ｂの門型の角部から延びており、その後面と、係止穴３９２の前端壁３７２から遠い穴縁とはそれぞれ前端壁から同一の距離Ｌ３ａにある。
【０１６４】
係止穴３９２は第１ボックス２００Ａ側の封印形成部２８０Ｂの係止ロッド２８３Ｂを受け入れ可能に対応させてあり、前端壁３７２から遠い穴縁に係止ロッド２８３Ｂの爪２８７が係止するように設定される。すなわち、前端壁３７２から当該穴縁までの距離Ｌ３ａは、第１ボックス２００Ａにおける前端壁２７２から係止ロッド２８３Ｂの前面までの距離Ｌ４と整合する。
また、封印形成部２８０Ｂにおける脚部２８２の下面から爪２８７の係止面２８８までの距離は、脚部３８２Ｂの前端壁３７２と平行な上下方向幅（厚さ）に対応させてある。
【０１６５】
封印形成部２８０Ｂにおける係止ロッド２８３Ｂの脚部２８２の下面からの長さは、封印形成部３８０Ｂの脚部３８２Ｂの上下方向幅に所定長さを加えた値に設定してあり、同様に封印形成部３８０Ｂにおける係止ロッド３８３の長さは、封印形成部２８０Ｂの脚部２８２の上下方向幅に所定長さを加えた値に設定してあり、同一長さとなっている。
第１ボックス２００Ａの前端壁２７２と第２ボックス３００Ａの前端壁３７２には第２の実施例と同様にカバー堤２２６、３２４を設けることができる。
【０１６６】
図３９は封印キャップを示し、（ａ）は後方から見た斜視図、（ｂ）は平面図、（ｃ）は背面図、（ｄ）は（ｃ）におけるＡＭ−ＡＭ部断面図である。
封印キャップ５５０Ｂは、筒部５５１が接続する頭部５５５の底壁の位置が上下で異なっている。
すなわち、筒部５５１の先端から上側の底壁５５８ａまでの距離に対して、筒部５５１の先端から下側の底壁５５８ｂまでの距離は短く、そのズレ量は係止ロッド２８３Ｂの前後方向の板厚分としてある。
第２の実施例と同様に、筒部５５１における一対の対向側壁５５３ａ、５５３ｂ間の距離Ｗ１’は、係止ロッド２８３Ｂの先端部を脚部３８２Ｂの係止穴３９２に進入させた状態での第１ボックス２００Ａと第２ボックス３００Ａの封印形成部２８０Ｂ、３８０Ｂを包絡する輪郭を通過させかつ収容可能なサイズに設定されており、ここでは第２ボックス３００Ａの封印形成部３８０Ｂが通過可能であればこの条件を満たす。
筒部５５１における他の１対の対向側壁５５２ａ、５５２ｂ間の距離Ｗ２は、係止ロッド２８３Ｂ（３８３）の長さにわずかな余裕をもたせた値に設定してある。
【０１６７】
筒部５５１の側壁５５２ａにそった軸方向高さＨａ（筒部の先端から底壁５５８ａにおける頭部５５５の内部空間への開口までの長さ）は、封印形成部３８０Ｂの係止ロッド３８３の後面と前端壁３７２間の距離Ｌ３ａに対応し、
側壁５５２ｂにそった軸方向高さＨｂ（筒部の先端から底壁５５８ｂにおける頭部５５５の内部空間への開口までの長さ）は封印形成部２８０Ｂの係止ロッド２８３Ｂの後面と前端壁２７２間の距離Ｌ３ｂに対応して、その差は係止ロッド２８３Ｂの前後方向の板厚分である。
その他は第２の実施例の封印キャップ５５０と同じである。
【０１６８】
封印手順は第２の実施例と同様で、まず図４０の（ａ）のように、封印形成部３８０Ｂにおける係止穴に封印形成部２８０Ｂの係止ロッド２８３Ｂを進入させて、封印形成部３８０Ｂの係止ロッド３８３の先端（上端）が封印形成部２８０Ｂの脚部２８２の上面と面一になるように前端壁２７２と３７２を接近させ、係止ロッド２８３Ｂの先端（下端）も封印形成部３８０Ｂの脚部３８２Ｂの下面と面一にする。
【０１６９】
この状態で、図４０の（ｂ）のように、封印キャップ５５０Ｂを封印形成部２８０Ｂ、３８０Ｂに被せる。それから、第１ボックス２００Ａを押し下げて第２ボックス３００Ａに重ね合わせると組み合わせ形態が変化し、（ｃ）に示すように、封印形成部２８０Ｂの係止ロッド２８３Ｂと封印形成部３８０Ｂの係止ロッド３８３がそれぞれ突出し、係止ロッド２８３Ｂは頭部５５５における下側の底壁５５８ｂに係止し、係止ロッド３８３は上側の底壁５５８ａに係止する。  
同時に、係止ロッド２８３Ｂの爪２８７が封印形成部３８０Ｂの脚部３８２Ｂの係止穴３９２に係止して、第１ボックス２００Ａと第２ボックス３００Ａが結合状態となる。
図４１は封印形成部２８０Ｂ、３８０Ｂが組み合わさったこの状態を封印キャップ５５０Ｂを除去して示す斜視図である。
【０１７０】
以上により、この変形例でも封印形成部２８０Ｂ、３８０Ｂがすべて封印キャップ５５０Ｂ内に収容された状態となり、第２の実施例と同じ効果を奏する。
さらに、封印形成部２８０Ｂ、３８０Ｂはそれぞれ、封印形成部同士を連結するための係止部と封印キャップと係止するための係止部とを兼用する１部材として形成されているので、第２の実施例と比較して封印キャップのサイズ、とくにその左右幅を小さくすることができるという利点を有する。
【０１７１】
なお、第２の実施例およびその変形例は、第１ボックスと第２ボックスを先に連結している一端側をヒンジにして相対的に回動させ、他端側を開口状態から閉じて結合する基板ボックスについて説明したが、第１ボックスと第２ボックスを真正面から重ねて結合するものについてもそのまま適用可能であり、この場合、両端に封印構造を設ければよい。
さらには、例えば前端壁２７２を上側の第１ボックスのスライド方向に延びる上壁、前端壁３７２を第１ボックスの下側に配する第２ボックスから第１ボックスのスライド軌跡上に突出させた部位とみなせば、スライドさせて結合するものにも適用可能である。
【０１７２】
実施の形態における封印部として、第１の実施例の第１、第３封印部３４、３８では基板ボックスを形成する第１ボックスと第２ボックスの結合状態を封印し、第２封印部３６では基板ボックスと台座装置（可動ベース部）間を封印する例について示し、第２、第３の実施例では基板ボックスを形成する第１ボックスと第２ボックスの結合状態を封印する例について示したが、これに限定されず、封印部の数や組み合わせは任意である。
【０１７３】
なお、実施の形態では封印部を基板ボックスの下端部に設定したものとしたが、封印部の位置は基板ボックスの上部や側部でもよい。
また、封印ピンの封印部への挿入方向も、基板ボックスにおける前後方向とした各実施例に限らず、左右方向や上下方向としてもよい。
あるいはまた基板ボックスにおける主基板２３と配線コネクタの接続部に対する封印等にも適用することができるとともに、さらには、封印対象としては基板ボックスに限定されず、結合状態を封印する必要のある任意の構造体に適用可能である。
【０１７４】
さらに、実施の形態は遊技機としてスロットマシンに適用した例を示したが、本発明はこれに限定されず、異なるタイプの遊技機、具体的には遊技媒体として遊技球を用いる弾球式の遊技機、いわゆるパチンコ機等に適用してもよい。例えば、特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機として実施するようにしてもよい。
また、弾球式でない遊技機、例えば、外枠に開閉可能に支持された遊技機本体に貯留部および取込装置を備え、貯留部に貯留されている所定数の遊技球が取込装置により取り込まれた後にスタートレバーが操作されることによりリールの回転を開始する、パチンコ機とスロットマシンとが融合された遊技機として実施するようにしてもよい。
【０１７５】
以下、上述した実施の形態から抽出される発明の特長を、必要に応じて効果等とともに示す。
（１）第１部材と第２部材を結合してなる構造体を配設した遊技機において、
第１部材および第２部材にそれぞれ設けられ第１部材と第２部材の結合位置において互いに連結する第１封印形成部および第２封印形成部と、
第１部材と第２部材の結合状態において前記第１封印形成部および第２封印形成部をカバーするカバー部材とを有し、
該カバー部材には封印連結部を備え、
前記第１封印形成部および第２封印形成部の少なくとも一方には封印係止部を備え、
第１部材と第２部材の結合途中において前記カバー部材を前記第１封印形成部および第２封印形成部の少なくとも一方に被せたあと、第１部材と第２部材の結合完了位置までの間に前記封印連結部が前記封印係止部により抜け阻止される位置関係となるように構成されて、
第１部材と第２部材の結合状態において前記カバー部材を取外し不能とした封印構造を形成していることを特徴とする遊技機。
第１部材と第２部材が結合したあとでは、カバー部材が取外しできない状態となるので、第１封印形成部と第２封印形成部の連結部分へのアクセスが阻止され、連結の解除ができないので、第１部材と第２部材の結合を不正に解除することができない。
【０１７６】
（２）前記第１封印形成部と第２封印形成部の間に、第１部材と第２部材の結合途中における前記封印係止部の移動経路上に前記カバー部材の封印連結部が進入可能な受容空間が形成されるよう構成されて、
結合途中に前記受容空間に進入させた前記封印連結部が、その後の前記封印係止部の移動により当該封印係止部と係止して前記受容空間から離脱不可となるようにすることを特徴とする（１）に記載の遊技機。
封印連結部が受容空間から抜けなくなるので、カバー部材が取外しできない状態となる。
（３）前記封印連結部は、前記受容空間に進入する部位に連結穴を有し、
前記封印係止部が前記連結穴を貫通して係止することを特徴とする（２）に記載の遊技機。
（４）前記封印連結部は、前記受容空間に進入する部位に拡大頭部を有し、
前記封印係止部が前記拡大頭部の前記受容空間からの抜け側に係止することを特徴とする（２）に記載の遊技機。
【０１７７】
（５）前記カバー部材の封印連結部をカバー部材の本体部に対して変位可能に設け、
前記封印連結部が前記受容空間に進入する過程で前記第１封印形成部または第２封印形成部の当該封印連結部と干渉する部位を封印連結部の変位で回避可能としたことを特徴とする（２）から（４）のいずれか１に記載の遊技機。
第１封印形成部や第２封印形成部に封印連結部と干渉する部位があっても回避して封印連結部を受容空間に位置させることができるので、封印構造の設計の自由度が向上する。
（６）前記封印連結部は前記カバー部材の本体部に弾性部を介して支持され、
封印連結部と前記第１封印形成部または第２封印形成部との干渉部位は互いに滑り可能に構成され、前記封印連結部がその姿勢変化で干渉部位を乗り越えて前記受容空間に進入するようにしたことを特徴とする（５）に記載の遊技機。
封印連結部を手で変位させなくても容易に受容空間に位置させることができる。
【０１７８】
（７）前記受容空間に進入した前記封印連結部が前記第１封印形成部または第２封印形成部に保持されることを特徴とする（２）から（６）のいずれか１に記載の遊技機。
第１部材と第２部材の結合途中で封印連結部が保持されることにより、その後の第１部材と第２部材の結合作業が容易となる。
（８）第１部材と第２部材は互いに重ね合わせ面に平行なスライド方向に移動させて結合するものであり、前記カバー部材は前記スライド方向から前記第１封印形成部および第２封印形成部に被せるものであることを特徴とする（１）から（７）のいずれか１に記載の遊技機。
カバー部材内における第１封印形成部および第２封印形成部との間隙を小さくすることが可能で、コンパクトでガタのない封印構造が得られる。
【０１７９】
（９）第１部材と前記第１封印形成部および第２部材と前記第２封印形成部の少なくとも一方は連結部を介して接続しており、該連結部を切断することにより第１部材と第２部材の結合を解除可能としたことを特徴とする（１）から（８）のいずれか１に記載の遊技機。
連結部を切断することにより第１部材と第２部材の結合を簡単に解除することができるとともに、切断した痕が残るので、不正に解除した場合にはその発見が容易である。
（１０）前記カバー部材は、前記第１封印形成部および第２封印形成部に被せられる封印形成部カバー部に接続して前記連結部をカバーする連結部カバー部を備えることを特徴とする（９）に記載の遊技機。
連結部カバー部に覆われることにより、連結部が偶発的な破損から保護される。
【０１８０】
（１１）第１部材と第２部材を結合してなる構造体を配設した遊技機において、
第１部材および第２部材にそれぞれ連結部を介して接続して第１部材と第２部材の結合位置において互いに連結する第１封印形成部および第２封印形成部と、第１部材と第２部材の結合状態において前記第１封印形成部および第２封印形成部に被せられる封印形成部カバー部とを備える封印構造を形成し、
さらに前記連結部をカバーする連結部カバー部を有することを特徴とする遊技機。
連結部を切断することにより第１部材と第２部材の結合を簡単に解除することができるとともに、切断した痕が残るので、不正に解除した場合にはその発見が容易である。そして、連結部は連結部カバー部に覆われることにより、偶発的な破損から保護される。
【０１８１】
（１２）前記封印形成部カバー部と連結部カバー部は易切断部を介して一体のカバー部材として形成されていることを特徴とする（１１）に記載の遊技機。
封印形成部カバー部と連結部カバー部が１部品となっているので、部品点数が低減される。
第１部材と第２部材の結合を解除する場合には、易切断部を切断することにより封印形成部カバー部から分離して連結部カバー部のみを除去することができる。
（１３）前記連結部カバー部は筒状であり、前記封印形成部カバー部の外側を通過可能にその内壁が当該封印形成部カバー部の外壁より大きく形成されていることを特徴とする（１２）に記載の遊技機。
連結部カバー部を封印形成部カバー部の外側をスライドさせて取外すことにより、封印形成部カバー部を残したまま簡単に連結部にアクセスすることができる。
（１４）前記連結部カバー部はその内壁の断面形状が前記封印形成部カバー部の外壁の断面形状と整合していることを特徴とする（１３）に記載の遊技機。
易切断部の切断前は、連結部カバー部と封印形成部カバー部間の隙間からも連結部への不正なアクセスが困難である。
【０１８２】
（１５）第１部材と第２部材の結合状態において、前記連結部カバー部が第１部材または第２部材と係止することを特徴とする（１２）から（１４）のいずれか１に記載の遊技機。
カバー部材がその封印形成部カバー部において第１封印形成部および第２封印形成部に保持されるに加えて、連結部カバー部と第１部材または第２部材との係止によっても保持されるので、カバー部材のぐらつきのない取付状態が維持される。
（１６）第１部材および第２部材に前記連結部カバー部の開口周縁に対応する囲み部が形成されて、前記連結部カバー部は前記囲み部に嵌まり込んで第１部材および第２部材と係止することを特徴とする（１５）に記載の遊技機。
連結部カバー部が囲み部に嵌まり込むことにより係止状態がとくに確実なものとなる。
さらに、第１部材および第２部材と連結部カバー部の隙間からカッターなどで連結部を切断するような不正行為も防止される。
【０１８３】
（１７）第１部材と第２部材を結合してなる構造体を配設した遊技機において、
第１部材および第２部材にそれぞれ設けられ第１部材と第２部材の結合位置において互いに連結する第１封印形成部および第２封印形成部と、
該第１封印形成部および第２封印形成部をカバーするカバー部材とを有し、
該カバー部材には本体部に対して変位可能な封印連結部を備え、
前記第１封印形成部および第２封印形成部の少なくとも一方には封印係止部を備え、
第１部材と第２部材の結合途中において前記カバー部材を前記第１封印形成部および第２封印形成部の少なくとも一方に被せたあと、第１部材と第２部材の結合完了位置までの間に前記封印連結部が前記封印係止部により抜け阻止される位置関係となるよう構成され、
結合完了位置において前記カバー部材の本体部と封印連結部の間に硬化樹脂を充填して第１部材と第２部材の結合状態が封印され、
前記結合完了位置までの封印連結部と封印係止部の相対移動に伴って前記封印連結部が変位して、前記硬化樹脂の充填空間が増大することを特徴とする遊技機。
封印係止部により抜け阻止されるとともに充填空間を増大させた封印連結部を硬化樹脂で固定するので、封印構造が強固に保持される。
【０１８４】
（１８）前記封印連結部が前記カバー部材の本体部に弾性部を介して支持され、
前記カバー部材装着の際の前記封印係止部と封印連結部の相対移動時に当該封印係止部と封印連結部のいずれかに形成した傾斜面に案内されて封印連結部が変位するものであることを特徴とする（１７）に記載の遊技機。
硬化樹脂の充填空間を増大させるため封印連結部を手で押すなどしなくてもカバー部材装着の際に自動的に変位する。
（１９）前記封印連結部は前記カバー部材の本体部の壁面に沿った板状部を備えて、該板状部が前記壁面に形成した穴内に位置し、前記弾性部は穴縁に沿って配されて一端が穴縁に他端が板状部に接続していることを特徴とする（１８）に記載の遊技機。
弾性部は穴縁に沿っているので細長い形状となり、とくに弾性変形しやすい特性のものが形成できるので、封印連結部の姿勢変化や変位の高い自由度が得られる。
【０１８５】
（２０）前記封印連結部の板状部には脆弱部が形成されていることを特徴とする（１９）に記載の遊技機。
充填された硬化樹脂を削り取るなどの不正が行われたときに脆弱部も同時に損傷を受け易いので、確実に痕跡が残る。
（２１）前記封印連結部の板状部が位置する前記本体部の穴の基本形状を円形としたことを特徴とする（１９）または（２０）に記載の遊技機。
穴に充填される硬化樹脂が均一に隅々まで行き渡るので、確実な充填ができ、安定した封印状態が得られる。
【０１８６】
（２２）前記第１封印形成部と第２封印形成部が第１部材と第２部材の結合途中において所定の組み合わせ形態となって前記カバー部材を被せ可能となり、
第１部材と第２部材の結合完了位置までの間に前記第１封印形成部と第２封印形成部の組み合わせ形態が変化してその封印係止部がカバー部材の前記封印連結部と係止し、前記カバー部材が前記第１封印形成部および第２封印形成部から抜けなくなるものであることを特徴とする（１）に記載の遊技機。
封印連結部が封印係止部と係止することによりカバー部材が取外しできない状態となる。
【０１８７】
（２３）前記第１封印形成部の封印係止部は第２部材側へ延び、前記第２封印形成部の封印係止部は第１部材側へ延びており、
前記所定の組み合わせ形態は、前記第１封印形成部および第２封印形成部を包絡する輪郭が前記カバー部材を通過可能な状態であり、
前記第１部材と第２部材の結合途中で第１封印形成部および第２封印形成部がすべて前記カバー部材内に収容され、
第１部材と第２部材の結合状態において、前記封印係止部が前記所定の組み合わせ形態における前記輪郭よりも張り出して前記封印連結部と係止することを特徴とする（２２）に記載の遊技機。
結合状態において封印係止部等はカバー部材内にあるので不正に切断などして封印連結部との係止を解除することもできない。
（２４）前記カバー部材は、頭部と、頭部の底壁に接続して内部空間が連通する筒部とからなり、該筒部から前記第１封印形成部および第２封印形成部に被せるものであり、
前記封印連結部が前記底壁であることを特徴とする（２３）に記載の遊技機。
簡単なカバー部材の構成の一部がそのまま封印連結部として機能するので、別途の封印連結部を設ける必要がない。
【０１８８】
（２５）前記第１封印形成部は第１連結係止部を備え、第２封印形成部は第２連結係止部を備えて、前記第１封印形成部と第２封印形成部は前記第１連結係止部と第２連結係止部が互いに係止することにより第１部材と第２部材の結合位置において連結するものであり、
前記第１封印形成部の封印係止部と第１連結係止部は互いに独立して設けられ、前記第２封印形成部の封印係止部と第２連結係止部は互いに独立して設けられていることを特徴とする（２２）から（２４）のいずれか１に記載の遊技機。
カバー部材を強引に取り外そうとする外力が作用して封印係止部が撓んだりしても、第１連結係止部や第２連結係止部が連動して変形し互いの係止が外れてしまう状態になるおそれがない。
【０１８９】
（２６）前記第１封印形成部は第１連結係止部を備え、第２封印形成部は第２連結係止部を備えて、前記第１封印形成部と第２封印形成部は前記第１連結係止部と第２連結係止部が互いに係止することにより第１部材と第２部材の結合位置において連結するものであり、
前記第１封印形成部の封印係止部と第１連結係止部は兼用部材として設けられ、前記第２封印形成部の封印係止部と第２連結係止部は兼用部材として設けられていることを特徴とする（２２）から（２４）のいずれか１に記載の遊技機。
第１、第２封印形成部の封印係止部と連結係止部がそれぞれ兼用の１部材となっているので、これらに被せるカバー部材のサイズを小さくすることができる。
【０１９０】
（２７）第１部材と第２部材は前記第１封印形成部と第２封印形成部を対向方向に移動させて結合するものであり、前記カバー部材は前記第１封印形成部と第２封印形成部の対向方向を横切る方向から当該第１封印形成部および第２封印形成部に被せるものであることを特徴とする（１）、（２２）から（２６）のいずれか１に記載の遊技機。
なお、「第１封印形成部と第２封印形成部を対向方向に移動させて結合する」とは、第１部材と第２部材を真正面から重ねて結合する場合だけでなく、一端側をヒンジにして他端側を開口状態から閉じて結合する場合を含むものである。
【０１９１】
（２８）前記（１）から（２７）の遊技機のいずれかにおいて、当該遊技機がパチンコ遊技機であることを特徴とする遊技機。なかでも、パチンコ遊技機の基本構成としては操作ハンドルを備え、その操作ハンドルの操作に応じて球を所定の遊技領域へ発射し、球が遊技領域内の所定の位置に配設された作動口に入賞（または作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１９２】
（２９）前記（１）から（２７）の遊技機のいずれかにおいて、当該遊技機がスロットマシンであることを特徴とする遊技機。なかでも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１９３】
（３０）前記（１）から（２７）の遊技機のいずれかにおいて、当該遊技機がパチンコ遊技機とスロットマシンとを融合させたものであることを特徴とする遊技機。なかでも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている遊技機」となる。
【０１９４】
前述の第１の実施例においては、基板ボックス３０が発明における構造体に該当し、第１ボックス２００が第１部材に、そして第２ボックス３００が第２部材に該当する。アッパブラケット２３０が第１封印形成部に、ロアブラケット３３０が第２封印形成部に、爪２４２が封印係止部に該当する。
また、封印キャップ５００がカバー部材に該当し、キャップ本体の上壁５１２に形成したプレート保持穴５１８がカバー部材の本体部の壁面に形成した穴に該当する。
遊動プレート５２０が封印連結部に該当し、その本体プレート部５２０ａが板状部に該当し、支持片５２８と折り返し片５２８ａが弾性部を形成している。
なお、封印キャップ５００において、遊動プレート５２０と支持片５２８および折り返し片５２８ａを除くキャップ本体がカバー部材の本体部に相当する。
また、遊動プレートのキャッチャ５２３が収まる空間Ｓ１が受容空間にあたる。そして、縦壁５２４の矩形穴５２５が連結穴に該当する。
ブラケットカバー部５１０が封印形成部カバー部に該当し、リブ５０８が易切断部に、そしてカバー堤２２６、３２４が囲み部に該当する。
本体プレート部５２０ａのスリット５２１および切欠き５２２が形成された部分が脆弱部となる。
【０１９５】
第１の実施例の変形例においては、アッパブラケット２３０’が第１封印形成部に該当し、その係止突起２４５が係止部に該当する。
そして、拡大頭部５３０を有する遊動プレート５２０’が封印連結部に該当する。
その他は第１の実施例におけると同じである。
【０１９６】
第２の実施例においては、基板ボックス３０Ａが発明における構造体に該当し、第１ボックス２００Ａが第１部材に、そして第２ボックス３００Ａが第２部材に該当する。
封印形成部２８０が第１封印形成部に該当し、封印形成部３８０が第２封印形成部に該当する。封印キャップ５５０がカバー部材に該当している。
とくに封印キャップ５５０の底壁５５８が封印連結部に該当し、第１係止部２８１の係止ロッド２８３と第２係止部３８１の係止ロッド３８３とが封印係止部に該当する。また、封印形成部２８０の係止板２８５が第１連結係止部に該当し、封印形成部３８０のフック部３８５が第２連結係止部に該当する。
【０１９７】
第２の実施例の変形例においては、封印形成部２８０Ｂが第１封印形成部に該当し、封印形成部３８０Ｂが第２封印形成部に該当する。
そして、封印形成部２８０Ｂにおける係止ロッド２８３Ｂの爪２８７部分が第１連結係止部として機能し、係止ロッド２８３Ｂの先端部分が封印係止部として機能する。また、封印形成部３８０Ｂにおける係止ロッド３８３が封印係止部として機能し、係止穴３９２を備えた脚部３８２Ｂが第２連結係止部として機能している。
その他は第２の実施例におけると同じである。
【産業上の利用可能性】
【０１９８】
本発明は、制御基板を収納した基板ボックスを備える種々の遊技機のセキュリティ確保に用いてとくに有用である。
【符号の説明】
【０１９９】
１    スロットマシン
２    筐体本体
３    前面扉
４    施錠機構
５    遊技パネル
６    表示窓
７    コイン投入口
８    操作部
９    コイン受け皿
１０    演出表示部
１１    ホッパ装置
１２    電源ボックス
１４    リール
１５    リールユニット
２０    主基板ユニット
２２    主制御装置
２３    主基板
２４    小孔
２５    台座装置
２６    固定ベース部
２８    可動ベース部
３０、３０Ａ    基板ボックス
３２    レール
３４    第１封印部
３６    第２封印部
３８    第３封印部
４０    底板部
４２    取付フランジ部
４３    穴
４４    切欠部
４６    取付フランジ部
４７    穴
４８    取付フレーム部材
５０    取付面部
５２    脚片
５４、５４ａ、５４ｂ    接合部
５５    下蓋部
５６    姿勢保持部材
５７    爪
６０    切欠部
６２    穴
６５    支持フランジ部
６７    カバーフランジ
６８    回動ストッパ
７０、７１    軸支板部
７３    軸孔
７５    錠取付穴
８０    底板部
８２    載置部
８４、８５    側板部
８６    回動軸部
８７    当接部
８８    軸孔
８９    錠取付穴
９０    スリット溝
１００    封止ブロック部
１０１ａ、１０１ｂ    区画
１０２    前壁
１０３    後壁
１０４    係止孔
１０５    切欠き
１０７    窓穴
１０８    ネジブロック
１０９    ネジ孔
１１２    返し部
１１３    突条段部
１１４    ガイド溝
１１６    領域
１１８    固定ブラケット部
１１９    穴
１２０    係止部
１２２    突出片
１２６    スリット
１２４、１２５    ボス板部
１２７    軸孔
１２８    支持ピン
１２９    凹部
１３０    補強プレート
１３２    平板部
１３４    縦壁
１３６    軸支板部
１３７    孔
１４０    切欠穴
１４２    窓穴
１４４    ブラケット部
１４５    挿通孔
２００、２００Ａ    第１ボックス
２０１    主基板収容部
２０２    段部
２０３    ソケット挿通孔
２０４    貼付枠
２０５    固定面
２０６    ネジ孔
２０７    平面部
２０９    上端壁
２１０    側壁
２１１    レール形成部
２１１ａ    帯板部
２１１ｂ    リブ
２１２    引掛部
２１４    係止ブロック
２１５    連結固定部
２１６    ネジ孔
２２２    下端壁
２２６    カバー堤
２２６ａ    上辺部
２２６ｂ    側辺部
２２８    連結部
２３０、２３０’    アッパブラケット
２３１    主板
２３２    端板
２３３    切欠き
２３４    堤部
２３５    溝
２３６    ビード
２３７    スリット
２３８    フランジ
２４０、２４２    爪
２４０ａ、２４２ａ    係止面
２４０ｂ、２４２ｂ    傾斜面
２４５    係止突起
２４６    傾斜面
２５０    矩形ブロック
２５１、２５２    角孔部
２５４    連結部
２５５    筒状体
２５６    貫通孔
２５７    大径孔
２５８    小径孔
２５９    溝
２７２    前端壁
２７３    側壁
２７４    後端壁
２７５    バック壁
２７６    溝
２７７    引掛け部
２７８    堤部
２７９    フランジ
２８０、２８０Ｂ    封印形成部
２８１    第１係止部
２８２    脚部
２８３、２８３Ｂ    係止ロッド
２８５    係止板
２８６    係止穴
２８７    爪
２８８    係止面
２８９    傾斜面
３００、３００Ａ    第２ボックス
３０１    底板部
３０２    リブ
３０４    固定ブロック
３０５    穴
３０８    上端壁
３１０    側壁
３１１    レール形成部
３１１ａ    縦壁部
３１２    引掛部
３１６    係止凹部
３１７    係止ブロック
３１８    スリット溝
３２２    下端壁
３２４    カバー堤
３２４ａ    側辺部
３２４ｂ    下辺部
３２６    切欠き
３２８、３２９    連結部
３３０    ロアブラケット
３３１    ベース
３３２    平坦部
３３３    樋溝
３３４    接続壁
３３５    先端ブロック
３３６    対向面
３３７    爪収容部
３３８、３３９    フランジ
３４０    爪
３５０    カバー板部
３５１    穴
３６０    封印ブロック部
３６１    底壁
３６２    側壁
３６３    下壁
３６５    筒状体
３６６    筒孔
３６７    拡径部
３６８    切欠き溝
３７２    前端壁
３７３    側壁
３７４    後端壁
３７５    嵌合壁
３７７    引掛け部
３７８    受け壁
３８０、３８０Ｂ    封印形成部
３８１    第２係止部
３８２、３８２Ｂ    脚部
３８３    係止ロッド
３８５    フック部
３８６    脚部
３８７    弾性片
３８８    爪
３８９    係止面
３９０    傾斜面
３９２    係止穴
４００    封印ピン
４０２    第１ピン
４２０    第２ピン
４０３    大径部
４０４    小径部
４０５    キーリブ
４０８    貫通孔
４０９    大径孔
４１０    小径孔
４１１    スリット
４１３    弾性部
４１４    係止爪
４１５    傾斜面
４１６    係止面
４１７    切欠き
４２１    大径部
４２２    小径部
４２３    筒孔
４２４    キーリブ
４２５    弾性部
４２６    係止爪
４２７    傾斜面
４２８    係止面
５００、５００’    封印キャップ
５０１    連結部カバー部
５０２    上壁
５０３    側壁
５０４    下壁
５０５    膨出部
５０６    フランジ
５０７    切欠き
５０８    リブ
５０９    切欠き
５１０    ブラケットカバー部
５１１    突出部
５１２    上壁
５１３    側壁
５１４    下壁
５１５    膨出部
５１８    プレート保持穴
５１９    段差部
５２０、５２０’    遊動プレート
５２０ａ    本体プレート部
５２１    スリット
５２２    切欠き
５２３、５２３’    キャッチャ
５２４、５２４’    縦壁
５２５    矩形穴
５２６    傾斜面
５２７    フランジ
５２８    支持片
５２８ａ    折り返し片
５３０    拡大頭部
５５０、５５０Ｂ    封印キャップ
５５１    筒部
５５２ａ、５５２ｂ、５５３ａ、５５３ｂ、５５７ａ、５５７ｂ    側壁
５５５    頭部
５５６    天壁
５５７ａ、５５７ｂ    側壁
５５８    底壁
Ｋ    重ね合わせ面
Ｐ    硬化樹脂
Ｓ１、Ｓ２    空間
Ｚ    回動中心軸線
【図１】
0005527069.tif 000002
【図２】
0005527069.tif 000003
【図３】
0005527069.tif 000004
【図４】
0005527069.tif 000005
【図５】
0005527069.tif 000006
【図６】
0005527069.tif 000007
【図７】
0005527069.tif 000008
【図８】
0005527069.tif 000009
【図９】
0005527069.tif 000010
【図１０】
0005527069.tif 000011
【図１１】
0005527069.tif 000012
【図１２】
0005527069.tif 000013
【図１３】
0005527069.tif 000014
【図１４】
0005527069.tif 000015
【図１５】
0005527069.tif 000016
【図１６】
0005527069.tif 000017
【図１７】
0005527069.tif 000018
【図１８】
0005527069.tif 000019
【図１９】
0005527069.tif 000020
【図２０】
0005527069.tif 000021
【図２１】
0005527069.tif 000022
【図２２】
0005527069.tif 000023
【図２３】
0005527069.tif 000024
【図２４】
0005527069.tif 000025
【図２５】
0005527069.tif 000026
【図２６】
0005527069.tif 000027
【図２７】
0005527069.tif 000028
【図２８】
0005527069.tif 000029
【図２９】
0005527069.tif 000030
【図３０】
0005527069.tif 000031
【図３１】
0005527069.tif 000032
【図３２】
0005527069.tif 000033
【図３３】
0005527069.tif 000034
【図３４】
0005527069.tif 000035
【図３５】
0005527069.tif 000036
【図３６】
0005527069.tif 000037
【図３７】
0005527069.tif 000038
【図３８】
0005527069.tif 000039
【図３９】
0005527069.tif 000040
【図４０】
0005527069.tif 000041
【図４１】
0005527069.tif 000042